(57)【特許請求の範囲】
【請求項１】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータであること
を特徴とするクレペリン検査判定学習装置。
【請求項２】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の第１から第ｉまでの特徴項目答案記入欄に記入する答案、及び第１から第ｉまでの特徴項目正答データは、当該特徴項目の傾向を有する場合を「○」とし、当該特徴項目の傾向の有無が中間状態である場合を「△」とし、当該特徴項目の傾向を有しない場合を「×」としたものであること
を特徴とするクレペリン検査判定学習装置。
【請求項３】
請求項１記載のクレペリン検査判定学習装置において、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記判定練習画面の各答案記入欄に記入された答案のうち前記正解と一致しない誤答の個数、又は前記連続練習回数Ｎに対する前記誤答個数の比率である誤答率、又は誤答の程度に応じた講評、若しくはこれらの適宜の組み合わせを前記表示手段に表示させること
を特徴とするクレペリン検査判定学習装置。
【請求項４】
請求項１記載のクレペリン検査判定学習装置において、
前記ｍ段階の評価は、当該特徴項目の傾向を最も有しない場合をｍ1とし、当該特徴項目の傾向を最も有する場合をｍ2とし、かつ、ｍ1＜ｍ2となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により第１特徴項目答案記入欄に記入された答案の段階を示す数値である第１特徴項目答案段階値Ｖs1と、前記第１特徴項目正答データの段階を示す数値である第１特徴項目正答段階値Ｖt1との差分（Ｖs1−Ｖt1）を各回の練習ごとに演算し、前記差分の前記Ｎ回の累計値である差分累計値を演算し、前記差分累計値が零である場合には「第１特徴項目の評価は模範判定者のレベルである」旨の表示を前記表示手段に表示させ、前記差分累計値が負値である場合には「模範判定者よりも、第１特徴項目の傾向を有しないと判定することが多い」旨の表示を前記表示手段に表示させ、前記差分累計値が正値である場合には「模範判定者よりも、第１特徴項目の傾向を有すると判定することが多い」旨の表示を前記表示手段に表示させ、
以下同様にして、第ｉ特徴項目まで前記表示手段に表示させること
を特徴とするクレペリン検査判定学習装置。
【請求項５】
請求項１記載のクレペリン検査判定学習装置において、
前記ｍ段階の評価は、当該特徴項目の傾向を最も有しない場合をｍ3とし、当該特徴項目の傾向を最も有する場合をｍ4とし、かつ、ｍ4＜ｍ3となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により第１特徴項目答案記入欄に記入された答案の段階を示す数値である第１特徴項目答案段階値Ｖs1と、前記第１特徴項目正答データの段階を示す数値である第１特徴項目正答段階値Ｖt1との差分（Ｖs1−Ｖt1）を各回の練習ごとに演算し、前記差分の前記Ｎ回の累計値である差分累計値を演算し、前記差分累計値が零である場合には「第１特徴項目の評価は模範判定者のレベルである」旨の表示を前記表示手段に表示させ、前記差分累計値が負値である場合には「模範判定者よりも、第１特徴項目の傾向を有すると判定することが多い」旨の表示を前記表示手段に表示させ、前記差分累計値が正値である場合には「模範判定者よりも、第１特徴項目の傾向を有しないと判定することが多い」旨の表示を前記表示手段に表示させ、
以下同様にして、第ｉ特徴項目まで前記表示手段に表示させること
を特徴とするクレペリン検査判定学習装置。
【請求項６】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の判定答案記入欄に記入する答案、及び判定正答データは、傾向の有無をｐ段階（ｐ：２以上の自然数）で評価する記号又は数値、若しくはこれらを示すデータであり、前記ｐ段階の評価は、一方の端である判定Ｙの場合をｐ1とし、他の端である判定Ｘの場合をｐ2とし、ｐ1＜ｐ2となるように設定され、
かつ、前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により判定答案記入欄に記入された答案の段階を示す数値である判定答案段階値Ｄsと、前記第１特徴項目正答データの段階を示す数値である判定正答段階値Ｄtとの差分（Ｄs−Ｄt）を各回の練習ごとに演算し、前記差分の前記Ｎ回の累計値である差分累計値を演算し、前記差分累計値が零である場合には「最終判定の評価は模範判定者のレベルである」旨の表示を前記表示手段に表示させ、前記差分累計値が負値である場合には「模範判定者よりも、判定Ｙ側に近い最終判定をすることが多い」旨の表示を前記表示手段に表示させ、前記差分累計値が正値である場合には「模範判定者よりも、判定Ｘの側に近い最終判定をすることが多い」旨の表示を前記表示手段に表示させること
を特徴とするクレペリン検査判定学習装置。
【請求項７】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の判定答案記入欄に記入する答案、及び判定正答データは、傾向の有無をｐ段階（ｐ：２以上の自然数）で評価する記号又は数値、若しくはこれらを示すデータであり、前記ｐ段階の評価は、一方の端である判定Ｙの場合をｐ3とし、他の端である判定Ｘの場合をｐ4とし、かつ、ｐ4＜ｐ3となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により判定答案記入欄に記入された答案の段階を示す数値である判定答案段階値Ｄsと、前記第１特徴項目正答データの段階を示す数値である判定正答段階値Ｄtとの差分（Ｄs−Ｄt）を各回の練習ごとに演算し、前記差分の前記Ｎ回の累計値である差分累計値を演算し、前記差分累計値が零である場合には「最終判定の評価は模範判定者のレベルである」旨の表示を前記表示手段に表示させ、前記差分累計値が負値である場合には「模範判定者よりも、判定Ｘの側に近い最終判定をすることが多い」旨の表示を前記表示手段に表示させ、前記差分累計値が正値である場合には「模範判定者よりも、判定Ｙ側に近い最終判定をすることが多い」旨の表示を前記表示手段に表示させること
を特徴とするクレペリン検査判定学習装置。
【請求項８】
請求項１記載のクレペリン検査判定学習装置において、
前記練習開始データの入力から前記正解の表示までを１回の練習としたとき、前記１回の練習に要した時間を計測する時間計測手段を備え、
前記答え合わせ開始データが入力された場合には、前記処理制御手段は、前記時間計測手段によって計測された所要時間を前記表示手段に表示させること
を特徴とするクレペリン検査判定学習装置。
【請求項９】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記練習開始データの入力から前記正解の表示までを１回の練習としたとき、連続してＮ回（Ｎ：２以上の自然数）の練習が実行された後、前記入力手段により、時系列分析開始データが入力された場合には、前記処理制御手段は、前記練習の回数を横軸とし前記各答案記入欄に記入された答案のうち前記正解と一致しない誤答の有無又はいずれかの判定傾向への偏差を縦軸としたグラフを前記表示手段に表示させること
を特徴とするクレペリン検査判定学習装置。
【請求項１０】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記データ格納手段は、前記波形コードごとにあらかじめ設定された難易度データを格納し、
前記入力手段により難易度命令データが入力された場合には、前記処理制御手段は、前記難易度命令データが示す難易度の波形コードを抜き出し、前記抜き出された波形コードを用いて後段の処理を行うこと
を特徴とするクレペリン検査判定学習装置。
【請求項１１】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記データ格納手段は、クレペリン検査判定の手順又は判定基準を説明する文字又は画像若しくはこれらの適宜の組み合わせに関するクレペリン判定内容説明データを格納し、
前記処理制御手段は、前記入力手段により説明開始データが入力された場合には、
前記クレペリン判定内容説明データを前記表示手段に出力し、前記クレペリン検査判定の手順又は判定基準を説明する文字又は画像若しくはこれらの適宜の組み合わせを表示させること
を特徴とするクレペリン検査判定学習装置。
【請求項１２】
請求項１記載のクレペリン検査判定学習装置において、
前記データ格納手段は、乱数表データを格納し、
前記処理制御手段は、前記入力手段により練習開始データが入力された場合には、前記処理制御手段は、前記乱数表データを用いて前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させること
を特徴とするクレペリン検査判定学習装置。
【請求項１３】
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備えたクレペリン検査判定学習装置を用い、クレペリン検査の判定方法を前記学習者に学習させるクレペリン検査判定学習方法であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータとすること
を特徴とするクレペリン検査判定学習方法。
【請求項１４】
データを入力するための入力手段と、
データに基き画像を表示する表示手段と、
データを格納するデータ格納手段と、
データを処理するとともに各手段を制御する処理制御手段と、
前記入力手段に入力されたデータ又は前記処理制御手段が処理したデータを一時的に記憶する一時記憶手段を
備えたコンピュータに実行させるためのプログラムを記録したコンピュータ読取可能なプログラム記録媒体であって、
前記プログラムは、クレペリン検査の判定方法を学習者に学習させるクレペリン検査判定学習方法であり、
前記クレペリン検査判定学習方法は、
前記データ格納手段に、作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納させ、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータとすること
を特徴とするプログラム記録媒体。
【発明の詳細な説明】
【０００１】
【発明の属する技術分野】
本発明は、クレペリン検査の結果の判定の能力を有して判定を行う者（以下、「クレペリン判定者」という。）を養成するためのクレペリン検査判定学習装置及びその方法、並びにこの方法をコンピュータに実行させるためのプログラムを記録したプログラム記録媒体に関するものである。
【０００２】
【従来の技術】
鉄道の電車運転士や機関車機関士等（以下、「鉄道動力車操縦者等」という。）は、多数の旅客等が乗車する鉄道列車の運転等を行うため、安全を確保し得る能力と、強い責任感等を有する者でなければならない。このため、学力試験、身体機能の検査だけでなく、性格の適性あるいは素質を調べる検査（以下、「作業素質検査」という。）を行う必要があり、法令等により義務づけられている。この作業素質検査としては、クレペリン検査が採用されている。
【０００３】
クレペリン検査においては、図２１に示すような検査用紙９０が用いられる。この検査用紙９０は、横幅が７５ｃｍ、縦方向の長さが２６ｃｍ程度の用紙であり、紙面には、上段に第１検査９１が、下段には第２検査欄９２が設けられている。紙面において、符号９３は、本検査を行う前に、練習を行うために用いる練習欄を示している。また、紙面において、符号９４、９５、及び９６は、本検査を受験した者（以下、「受験者」という。）が氏名等を記入したり、検査後に判定を行った結果等をクレペリン検査の実施機関側が記入するための関連情報記入欄を示している。
【０００４】
上記した第１検査欄９１及び第２検査欄９２は、ともに、左右方向に１１５個の不規則な数字が印字された行が上下方向に１７行並ぶように印字されることによって構成されている。図２２は、第１検査欄９１の左上端付近の数字の状態を示した図である。ただし、第２検査欄９２の数字は、第１検査欄９１の数字とは異なっている。
【０００５】
クレペリン検査は、検査用紙上に横に並べて印字されている数字のうち、隣合う２個の数字を暗算で加算し、加算された結果の値のうちの下１桁の数字を、これらの２個の数字の中間付近に記入するものである。すなわち、図２３に示すように、最上段の行の左端の数字「５」と、その右隣りの数字「７」を例に挙げると、両者の加算値は１２であるから、その下１桁の数字は「２」となる。これにより、符号ａで示されるように、「５」と「７」の中間付近に「２」が記入される。また、この数字の組（５，７）の右方に隣接する次の数字の組（７，８）については、両者の加算値は１５であるから、その下１桁の数字「５」が、符号ｂで示されるように、「７」と「８」の中間付近に記入される。
【０００６】
受験者は、上記した暗算・数字記入作業を、第１検査欄９１に並んだ数字の左端から右方向へ向けて次々に行っていく。この作業は、第１検査欄９１の最上段の第１行につき１分間行い、１分間経過すると、クレペリン検査の立会監督者の合図により、１つ下の第２行の左端に移り、同様の作業を、その行の右方向へ向けて行う。以下、同様にして、全体で１５分の間に、第１検査欄９１の１５の行に対する作業を行う。第１検査欄９１の残りの２行は、書き損じ等に対する余裕である。次に、５分間休憩し、第２検査欄９２に対して、同様の作業を行う。以下、第１検査欄９１の検査を「前期検査」といい、第２検査欄９２の検査を「後期検査」ということとする。
【０００７】
上記のクレペリン検査が終了すると、検査用紙は回収され、第１検査欄及び第２検査欄のそれぞれについて、各行に記入された数字のうち、右端となる記入数字の位置に印が付される。これらの印を結ぶと、図２４に示すように、第１検査欄９１及び第２検査欄９２のそれぞれについて、鋸歯状又は波形の曲線９７、９８を得ることができる。以下、この曲線を「検査結果波形」という。
【０００８】
クレペリン検査の判定者は、この検査結果波形の状態を鑑定し、あらかじめ定められたパターンのいずれかに分類する。各パターンは、その者の作業素質の特徴を明示する。第１の特徴は、その者の能力的な側面の特徴である。これは、何ができるかできないかという能力の具体的な中味ではなく、物事を学習したり処理するうえでの基礎的能力の高低を示す。また、第２の特徴は、性格・行動面の特徴である。これは、仕事の進め方の違いからその人らしい一貫した気質に近い特徴をとらえ、いわばその人の基本的行動パターンを明らかにするものである。なお、クレペリン検査の判定は、鉄道動力車操縦者の免許時においては、判定能力を有するクレペリン判定者が２名以上担当して行い、最終的な判定の決定は判定者の協議によって行うこととされている。
【０００９】
次に、クレペリン検査の結果得られた波形の判定基準について説明する。判定基準は、「作業量段階」と、「定型特徴」と、「非定型特徴」と、「その他」の４項目を有している。作業量段階は、上記した暗算・数字記入の量を判断するものである。すなわち、検査用紙上に横に並べて印字されている数字のうちのどの位置まで到達したか、を到達した数字の個数で表す。これを前期検査、後期検査のそれぞれについて調べ、数値が大きい方から順にＡ、Ｂ、Ｃ、Ｄの４段階に分類する。段階Ａの基準は「前期で４１以上、後期で４６以上」となっており、段階Ｂの基準は「前期で２６〜４０、後期で３１〜４５」となっており、段階Ｃの基準は「前期で１１〜２５、後期で１６〜３０」となっており、段階Ｄの基準は「前期で０〜１０、後期で０〜１５」となっている。
【００１０】
次に、定型特徴は、検査結果波形の形状等の状況について５つの特徴項目の判断を行う。検査結果波形の見方は、図２４における各検査欄９１、９２の左端９１ａ、９２ａを下とし、各検査欄９１、９２の右端９１ｂ、９２ｂａが上となるようにして、前期検査の結果の波形曲線（以下、「前期曲線」という。）９７と、後期検査の結果の波形曲線（以下、「後期曲線」という。）９８の観察を行う。
【００１１】
定型特徴の最初の項目（以下、第１特徴項目という。）は、前期曲線について検討するものであり、波形が右下がりのＵ字型で、終末部９７ｂの高さが初頭部９７ａの高さをこえず、かつ、Ｕ字型の底９７ｃの位置が中央部となるものが「定型（通常のタイプ）」である、とする。この基準に当てはまるか否かが判断の基準となる。
【００１２】
定型特徴の２番目の項目（以下、第２特徴項目という。）は、後期曲線について検討するものであり、波形が右下がり型であるが、単純な右下がりではなく、Ｗ型に似た変動を示し、Ｗ型の中央の山９８ｃの位置は第４〜５行目であり、終末部９８ｂも盛り上がり傾向か横這い傾向を示すものが「定型（通常のタイプ）」である、とする。この基準に当てはまるか否かが判断の基準となる。第１特徴項目と第２特徴項目を合わせて、「曲線の基本傾向」又は「曲線の傾向」という。
【００１３】
定型特徴の３番目の項目（以下、第３特徴項目という。）は、前期と後期の間の休憩の効果があったかどうかについて検討するものであり、前期の作業量に対して後期の作業量が全体に増加しているものが「定型（通常のタイプ）」である、とする。この基準に当てはまるか否かが判断の基準となる。
【００１４】
定型特徴の４番目の項目（以下、第４特徴項目という。）は、前期、後期とも、曲線に適度な波動があるかどうかについて検討するものであり、適度な波動があるものが「定型（通常のタイプ）」である、とする。この基準に当てはまるか否かが判断の基準となる。
【００１５】
定型特徴の最後の項目（以下、第５特徴項目という。）は、前期、後期の両方について、暗算に誤りがあるかどうかについて検討するものであり、計算ミスや数字記入もれなどがほとんど無く、行飛ばし（１分ごとに上の行から下の行へ移る際に２行下へ移ってしまうこと等）もほとんど無いものが「定型（通常のタイプ）」である、とする。この基準に当てはまるか否かが判断の基準となる。
【００１６】
非定型特徴の最初の項目（以下、第６特徴項目という。）は、後期の作業量が減少しているか否かについて検討するものであり、減少していれば、前期と後期の間の休憩効果が無いことになる。
【００１７】
非定型特徴の２番目の項目（以下、第７特徴項目という。）は、前期、後期とも、曲線に激しい動揺（ギザギザ）があるか否かについて検討するものである。
【００１８】
非定型特徴の３番目の項目（以下、第８特徴項目という。）は、後期の初頭部９８ａの状況について検討するものであり、後期初頭部９８ａの高さが著しく低い（出不足）場合には、この基準に該当する。
【００１９】
非定型特徴の４番目の項目（以下、第９特徴項目という。）は、前期、後期とも、曲線中に大きい落ち込みがあるか否かについて検討するものである。
【００２０】
非定型特徴の５番目の項目（以下、第１０特徴項目という。）は、前期、後期とも、曲線中に大きい突出があるか否かについて検討するものである。
【００２１】
非定型特徴の６番目の項目（以下、第１１特徴項目という。）は、前期、後期とも、暗算の計算ミスが多いか否かについて検討するものである。
【００２２】
非定型特徴の７番目の項目（以下、第１２特徴項目という。）は、前期、後期とも、波動（ギザギザ）が非常に少ない、という状況があるか否かについて検討するものである。
【００２３】
非定型特徴の８番目の項目（以下、第１３特徴項目という。）は、前期、後期とも、終末部９７ｂ、９８ｂが、初頭部９７ａ、９８ｂに比べて著しく高くなっている（尻上がり）か否かについて検討するものである。波形は、前期、後期とも、終末部の高さが初頭部よりも低い右下がり状となるのが普通であるので、このような波形は、普通ではない、と判断される。
【００２４】
非定型特徴の９番目の項目（以下、第１４特徴項目という。）は、前期、後期とも、作業した数字の量が非常に多い（範囲過大）か否かについて検討するものである。
【００２５】
最後に、定型特徴、非定型特徴のどちらにも属さない「その他」の基準がある。この基準は、作業量段階Ａ〜Ｄを大きくまたがる範囲過大であるか否かを検討するものである。
【００２６】
上記の各項目を検討し、判定を下すことになるが、判定のタイプとしては、受験者の作業素質の特徴を明示するパターンがあらかじめ定められておりあり、そのいずれであるかを決定することになる。この判定の種類を表にまとめたものが以下に示す表１である。
【００２７】
【表１】
0003859219.tif 000002
【００２８】
表１に示すように、判定の種類には、Ａ段階に「ａ」、「ａ’」、「ａ’〜ａ’ｆ」、「ａ’ｆ」、「ａ’ｆ〜Ｆａ」、「Ｆａ」の６種類があり、Ｂ段階には「ｂ」、「ｂ’」、「ｂ’ｆ」、「ｂ’ｆ〜Ｆｂ」、「Ｆｂ」の５種類があり、Ｃ段階には「ｃ」、「ｃ’」、「ｃ’ｆ」、「Ｆｃ」の４種類があり、Ｄ段階１種類と、「Ｆｐ」と呼ばれる種類があり、合計１７種類の判定パターンがある。
【００２９】
上記のようにして実施されるクレペリン検査は、企業や官公庁における社員や職員の採用時の選抜、面接の補助的資料、人員の部署配置の参考資料、社員教育、自己理解や自己啓発のための資料、運転要員の適性、人為的ミスによる事故防止のためのデータなどとして利用されている。また、各種、各レベルの教育機関において、生徒や学生の個人的な能力や心理行動特性を発見し理解することが可能となるため、学習・進路指導等の資料として活用されている。さらに、近年、「こころ」の問題に関連する心理相談、カウンセリングの補助資料としても重要なものとなっている。
【００３０】
【発明が解決しようとする課題】
しかしながら、上記した従来のクレペリン検査においては、クレペリン検査の結果の判定を行うクレペリン判定者の資格を得るためには、判定者養成講習会等において、パターンが確定している検査結果波形を有する模擬の検査用紙を、例えば１時間の間に５０枚連続して判定する練習を行ったのちに、同様のテストを受け、合格点以上の点をとることが必要であった。しかし、検査結果波形の判定には、定められた分析手順や、定量的な判断値があるわけではなく、検査結果波形の状態を目視し、その特徴などを吟味・鑑定し、自己の基準に照らして決定を行わなければならない。したがって、クレペリン判定者の資格を取得しようとする者は、いわば経験と勘に頼って判定能力を身につけるより他に方法がないのが実状であった。また、個人で判定の学習を行おうとしても、所定の期日に開催される講習会以外の適切な自習機会・手段がなかった。このため、クレペリン判定者のニーズが高まっているのに対し、クレペリン判定者の養成は容易ではなく、これに伴い、クレペリン判定者の人数を増加させることが困難である、という問題があった。
【００３１】
本発明は上記の問題を解決するためになされたものであり、本発明の解決しようとする課題は、クレペリン検査の判定方法を学習者に適宜かつ随時に学習させることができる装置及びその方法、並びにこの方法をコンピュータに実行させるためのプログラムを記録したプログラム記録媒体を提供することにある。
【００３２】
【課題を解決するための手段】
上記課題を解決するため、本発明の請求項１に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータであること
を特徴とする。
【００３３】
また、本発明の請求項２に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の第１から第ｉまでの特徴項目答案記入欄に記入する答案、及び第１から第ｉまでの特徴項目正答データは、当該特徴項目の傾向を有する場合を「○」とし、当該特徴項目の傾向の有無が中間状態である場合を「△」とし、当該特徴項目の傾向を有しない場合を「×」としたものであること
を特徴とする。
【００３４】
また、本発明の請求項３に係るクレペリン検査判定学習装置は、
請求項１記載のクレペリン検査判定学習装置において、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記判定練習画面の各答案記入欄に記入された答案のうち前記正解と一致しない誤答の個数、又は前記連続練習回数Ｎに対する前記誤答個数の比率である誤答率、又は誤答の程度に応じた講評、若しくはこれらの適宜の組み合わせを前記表示手段に表示させること
を特徴とする。
【００３５】
また、本発明の請求項４に係るクレペリン検査判定学習装置は、
請求項１記載のクレペリン検査判定学習装置において、
前記ｍ段階の評価は、当該特徴項目の傾向を最も有しない場合をｍ1とし、当該特徴項目の傾向を最も有する場合をｍ2とし、かつ、ｍ1＜ｍ2となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により第１特徴項目答案記入欄に記入された答案の段階を示す数値である第１特徴項目答案段階値Ｖs1と、前記第１特徴項目正答データの段階を示す数値である第１特徴項目正答段階値Ｖt1との差分（Ｖs1−Ｖt1）を各回の練習ごとに演算し、前記差分の前記Ｎ回の累計値である差分累計値を演算し、前記差分累計値が零である場合には「第１特徴項目の評価は模範判定者のレベルである」旨の表示を前記表示手段に表示させ、前記差分累計値が負値である場合には「模範判定者よりも、第１特徴項目の傾向を有しないと判定することが多い」旨の表示を前記表示手段に表示させ、前記差分累計値が正値である場合には「模範判定者よりも、第１特徴項目の傾向を有すると判定することが多い」旨の表示を前記表示手段に表示させ、
以下同様にして、第ｉ特徴項目まで前記表示手段に表示させること
を特徴とする。
【００３６】
また、本発明の請求項５に係るクレペリン検査判定学習装置は、
請求項１記載のクレペリン検査判定学習装置において、
前記ｍ段階の評価は、当該特徴項目の傾向を最も有しない場合をｍ3とし、当該特徴項目の傾向を最も有する場合をｍ4とし、かつ、ｍ4＜ｍ3となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により第１特徴項目答案記入欄に記入された答案の段階を示す数値である第１特徴項目答案段階値Ｖs1と、前記第１特徴項目正答データの段階を示す数値である第１特徴項目正答段階値Ｖt1との差分（Ｖs1−Ｖt1）を各回の練習ごとに演算し、前記差分の前記Ｎ回の累計値である差分累計値を演算し、前記差分累計値が零である場合には「第１特徴項目の評価は模範判定者のレベルである」旨の表示を前記表示手段に表示させ、前記差分累計値が負値である場合には「模範判定者よりも、第１特徴項目の傾向を有すると判定することが多い」旨の表示を前記表示手段に表示させ、前記差分累計値が正値である場合には「模範判定者よりも、第１特徴項目の傾向を有しないと判定することが多い」旨の表示を前記表示手段に表示させ、
以下同様にして、第ｉ特徴項目まで前記表示手段に表示させること
を特徴とする。
【００３７】
また、本発明の請求項６に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の判定答案記入欄に記入する答案、及び判定正答データは、傾向の有無をｐ段階（ｐ：２以上の自然数）で評価する記号又は数値、若しくはこれらを示すデータであり、前記ｐ段階の評価は、一方の端である判定Ｙの場合をｐ1とし、他の端である判定Ｘの場合をｐ2とし、ｐ1＜ｐ2となるように設定され、
かつ、前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により判定答案記入欄に記入された答案の段階を示す数値である判定答案段階値Ｄsと、前記第１特徴項目正答データの段階を示す数値である判定正答段階値Ｄtとの差分（Ｄs−Ｄt）を各回の練習ごとに演算し、前記差分の前記Ｎ回の累計値である差分累計値を演算し、前記差分累計値が零である場合には「最終判定の評価は模範判定者のレベルである」旨の表示を前記表示手段に表示させ、前記差分累計値が負値である場合には「模範判定者よりも、判定Ｙ側に近い最終判定をすることが多い」旨の表示を前記表示手段に表示させ、前記差分累計値が正値である場合には「模範判定者よりも、判定Ｘの側に近い最終判定をすることが多い」旨の表示を前記表示手段に表示させること
を特徴とする。
【００３８】
また、本発明の請求項７に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記判定練習画面の判定答案記入欄に記入する答案、及び判定正答データは、傾向の有無をｐ段階（ｐ：２以上の自然数）で評価する記号又は数値、若しくはこれらを示すデータであり、前記ｐ段階の評価は、一方の端である判定Ｙの場合をｐ3とし、他の端である判定Ｘの場合をｐ4とし、かつ、ｐ4＜ｐ3となるように設定され、
前記練習開始データの入力から前記正解の表示までを１回の練習としたとき、連続してＮ回（Ｎ：２以上の自然数）の練習が実行された後、前記入力手段により、Ｎ回採点開始データが入力された場合には、前記処理制御手段は、前記学習者により判定答案記入欄に記入された答案の段階を示す数値である判定答案段階値Ｄsと、前記第１特徴項目正答データの段階を示す数値である判定正答段階値Ｄtとの差分（Ｄs−Ｄt）を各回の練習ごとに演算し、前記差分の前記Ｎ回の累計値である差分累計値を演算し、前記差分累計値が零である場合には「最終判定の評価は模範判定者のレベルである」旨の表示を前記表示手段に表示させ、前記差分累計値が負値である場合には「模範判定者よりも、判定Ｘの側に近い最終判定をすることが多い」旨の表示を前記表示手段に表示させ、前記差分累計値が正値である場合には「模範判定者よりも、判定Ｙ側に近い最終判定をすることが多い」旨の表示を前記表示手段に表示させること
を特徴とする。
【００３９】
また、本発明の請求項８に係るクレペリン検査判定学習装置は、
請求項１記載のクレペリン検査判定学習装置において、
前記練習開始データの入力から前記正解の表示までを１回の練習としたとき、前記１回の練習に要した時間を計測する時間計測手段を備え、
前記答え合わせ開始データが入力された場合には、前記処理制御手段は、前記時間計測手段によって計測された所要時間を前記表示手段に表示させること
を特徴とする。
【００４０】
また、本発明の請求項９に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記練習開始データの入力から前記正解の表示までを１回の練習としたとき、連続してＮ回（Ｎ：２以上の自然数）の練習が実行された後、前記入力手段により、時系列分析開始データが入力された場合には、前記処理制御手段は、前記練習の回数を横軸とし前記各答案記入欄に記入された答案のうち前記正解と一致しない誤答の有無又はいずれかの判定傾向への偏差を縦軸としたグラフを前記表示手段に表示させること
を特徴とする。
【００４１】
また、本発明の請求項１０に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記データ格納手段は、前記波形コードごとにあらかじめ設定された難易度データを格納し、
前記入力手段により難易度命令データが入力された場合には、前記処理制御手段は、前記難易度命令データが示す難易度の波形コードを抜き出し、前記抜き出された波形コードを用いて後段の処理を行うこと
を特徴とする。
【００４２】
また、本発明の請求項１１に係るクレペリン検査判定学習装置は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備え、クレペリン検査の判定方法を前記学習者に学習させるクレペリン検査判定学習装置であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
前記データ格納手段は、クレペリン検査判定の手順又は判定基準を説明する文字又は画像若しくはこれらの適宜の組み合わせに関するクレペリン判定内容説明データを格納し、
前記処理制御手段は、前記入力手段により説明開始データが入力された場合には、
前記クレペリン判定内容説明データを前記表示手段に出力し、前記クレペリン検査判定の手順又は判定基準を説明する文字又は画像若しくはこれらの適宜の組み合わせを表示させること
を特徴とする。
【００４３】
また、本発明の請求項１２に係るクレペリン検査判定学習装置は、
請求項１記載のクレペリン検査判定学習装置において、
前記データ格納手段は、乱数表データを格納し、
前記処理制御手段は、前記入力手段により練習開始データが入力された場合には、前記処理制御手段は、前記乱数表データを用いて前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させること
を特徴とする。
【００４４】
また、本発明の請求項１３に係るクレペリン検査判定学習方法は、
学習者がデータを入力するための入力手段と、
データに基き画像を表示する表示手段と、
作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納するデータ格納手段と、
データを処理するとともに各手段を制御する処理制御手段と、
前記学習者が入力したデータ又は前記処理制御手段が処理したデータを一時的に記憶する一時記憶手段を
備えたクレペリン検査判定学習装置を用い、クレペリン検査の判定方法を前記学習者に学習させるクレペリン検査判定学習方法であって、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータとすること
を特徴とする。
【００４５】
また、本発明の請求項１４に係るプログラム記録媒体は、
データを入力するための入力手段と、
データに基き画像を表示する表示手段と、
データを格納するデータ格納手段と、
データを処理するとともに各手段を制御する処理制御手段と、
前記入力手段に入力されたデータ又は前記処理制御手段が処理したデータを一時的に記憶する一時記憶手段を
備えたコンピュータに実行させるためのプログラムを記録したコンピュータ読取可能なプログラム記録媒体であって、
前記プログラムは、クレペリン検査の判定方法を学習者に学習させるクレペリン検査判定学習方法であり、
前記クレペリン検査判定学習方法は、
前記データ格納手段に、作業量段階答案記入欄及び第１から第ｉ（ｉ：２以上の自然数）までの特徴項目答案記入欄及び判定答案記入欄を含む判定練習画面を表示するための判定練習画面データと、あらかじめ設定されたｋ個（ｋ：自然数）の波形コードと、前記波形コードに対応してあらかじめ設定されたｋ個の練習用波形画像データと、前記波形コードに対応してあらかじめ設定された作業量段階正答データ及び第１から第ｉまでの特徴項目正答データ及び判定正答データを含むｋ個の正解データを格納させ、
前記入力手段により練習開始データが入力された場合には、前記処理制御手段は、前記ｋ個の波形コードのうちから１個の波形コードを選択し、前記選択された波形コードに対応する練習用波形画像データと、前記判定練習画面データを前記表示手段に出力して前記表示手段に判定練習画面と練習用波形画像を表示させ、
前記入力手段により、前記判定練習画面の各答案記入欄に学習者の答案である文字又は数字又は記号若しくはこれらの適宜の組み合わせからなる答案データが入力され、答え合わせ開始データが入力された場合には、前記処理制御手段は、前記正解データを前記表示手段に出力し、前記表示手段の前記判定練習画面の各答案記入欄の隣接箇所に正解の文字又は数字又は記号若しくはこれらの適宜の組み合わせを表示させ、
かつ、前記判定練習画面の第１から第ｉまでの特徴項目答案記入欄に記入する答案、及び第１から第ｉまでの特徴項目正答データは、傾向の有無をｍ段階（ｍ：２以上の自然数）で評価する記号又は数値、若しくはこれらを示すデータとすること
を特徴とする。
【００４８】
【発明の実施の形態】
以下、本発明の実施形態について、図面を参照しながら説明する。
【００４９】
（１）第１実施形態
図１は、本発明の第１実施形態であるクレペリン検査判定学習装置のハードウェアの全体構成を示すブロック図である。図１に示すように、このクレペリン検査判定学習装置１は、主制御部２と、主記憶装置３と、一時記憶部４と、入出力制御部５と、入力装置６と、表示装置７と、出力装置８を備えて構成されている。このような構成により、このクレペリン検査判定学習装置１は、全体としてコンピュータを構成している。
【００５０】
主制御部２は、図示はしていないが、ＣＰＵ（Ｃｅｎｔｒａｌ  Ｐｒｏｃｅｓｓｉｎｇ  Ｕｎｉｔ：中央演算処理装置）等を有しており、このクレペリン検査判定学習装置１の各部を統括し、各種演算やプログラム実行等の処理を行う部分である。ＣＰＵは、図示はしていないが、ＣＰＵ内部での電流（信号）の授受を行うための信号線である内部バスを有しており、この内部バスに、演算部と、レジスタと、クロック生成部と、命令処理部等を有している。
【００５１】
ＣＰＵ内の演算部は、一般に、レジスタに記憶されている各種データに対して、四則演算（加算、減算、乗算、及び除算）を行い、又は論理演算（論理積、論理和、否定、排他的論理和など）を行い、又はデータ比較、若しくはデータシフトなどの処理を実行する部分である。処理の結果は、レジスタに格納されるのが一般的である。
【００５２】
レジスタは、一般に、１語のデータを記憶する部分である。通常、ＣＰＵ内には、複数のレジスタが設けられている。クロック生成部は、ＣＰＵの各部分の時間の同期をとるための刻時信号（クロック信号）を生成する部分である。ＣＰＵは、このクロック信号に基づいて動作する。命令処理部は、演算部等が実行すべき命令の取り出し、その解読、及びその実行などを制御し処理する部分である。
【００５３】
主記憶装置３は、図示はしていないが、ハードディスク装置（ＨＤＤ）、ＲＯＭ（Ｒｅａｄ  Ｏｎｌｙ  Ｍｅｍｏｒｙ：読出し専用メモリ）等を有しており、後述するように、主制御部２を制御するための制御プログラムや、主制御部２が用いる各種データ等を格納している部分である。ハードディスク装置は、図示はしていないが、その内部に、円盤状の磁気ディスクを有しており、この磁気ディスクをディスク駆動機構により回転駆動し、磁気ヘッドをヘッド駆動機構によって磁気ディスクの任意位置に移動させ、磁気ディスク表面の磁性膜を磁気ヘッドからの書込電流によって磁化することによりデータを記録し、磁化された磁性膜の上を磁気ヘッドが移動する際に磁気ヘッドのコイル等に流れる電流を検出することにより記録データを読み出す装置である。また、ＲＯＭは、一般に、半導体チップ等により構成される。
【００５４】
また、一時記憶部４は、図示はしていないが、ＲＡＭ（Ｒａｎｄｏｍ  Ａｃｃｅｓｓ  Ｍｅｍｏｒｙ：随時書込み読出しメモリ）等を有しており、ＣＰＵにより演算された途中のデータ等を一時記憶する部分である。ＲＡＭは、一般に、半導体チップ等により構成される。
【００５５】
入出力制御部５は、インタフェース（Ｉ／Ｏ）とも呼ばれ、信号線又はその集合であるバスと、各種コネクタ、各種ポート、ハードディスク装置の読取り・書込み制御機構などを有しており、ＣＰＵからの信号や各装置からの信号を授受するための部分である。
【００５６】
入力装置６は、図示はしていないが、キーボード、マウス又はトラックボール若しくはスティックポインタ等を含むポインティングデバイス、タッチパネル装置等を有しており、主制御部２への命令信号や、主制御部２が処理するデータ等を外部から入力するための部分である。
【００５７】
表示装置７は、図示はしていないが、ＣＲＴ（Ｃａｔｈｏｄｅ  Ｒａｙ  Ｔｕｂｅ：陰極線管表示装置）モニタ、液晶表示パネル、プラズマディスプレイ装置等を有しており、主制御部２の演算結果や処理したデータを、画像や文字等として画面に表示する部分である。
【００５８】
出力装置８は、図示はしていないが、プリンタ、外部出力端子、モデムなどの通信装置、ＬＡＮ（Ｌｏｃａｌ  Ａｒｅａ  Ｎｅｔｗｏｒｋ）ポート等を有しており、主制御部２の演算結果や処理したデータを、紙等に印字したり、あるいは電気信号として外部へ出力又は送信する部分である。なお、外部出力端子に、フレキシブル・ディスク（ＦＤ）装置、光磁気ディスク装置等の外部記録装置を接続すれば、後述するクレペリン判定練習の結果データ等をディスク等の記録媒体に記録して外部に取り出すことができる。
【００５９】
次に、上記した主記憶装置３の内部の構成について、図２を参照しつつ詳細に説明する。図２は、図１に示すクレペリン検査判定学習装置１の主記憶装置３の内部に設けられている主記憶領域１０の構成を示す図である。
【００６０】
図２に示すように、主記憶領域１０は、プログラム記憶領域１１と、読出データ記憶領域１２と、ユーザ使用記憶領域１３を有している。プログラム記憶領域１１内には、制御プログラム２１が格納されている。また、読出データ記憶領域１２内には、テーブルフォルダ２２と、乱数表データフォルダ２３と、判定練習画面データフォルダ２４と、練習用波形画像データフォルダ２５と、正解データフォルダ２６と、クレペリン判定内容説明データフォルダ２７が格納されている。また、ユーザ使用記憶領域１３内には、練習結果データフォルダ２８が格納されている。
【００６１】
上記した制御プログラム２１は、ＯＳ（Ｏｐｅｒａｔｉｎｇ  Ｓｙｓｔｅｍ）等の主制御部２の基本ソフトウェアのほか、後述するクレペリン検査判定学習ソフトウェアのための画像処理や分析演算等を主制御部２に実行させるための命令等の処理手順が、所定のプログラム用言語で記述された文字や記号の集合であり、これらの文字や記号は、実際には、「１」と「０」の組み合わせとなっている。
【００６２】
また、テーブルフォルダ２２内には、後述する各テーブル４１等が格納されている。また、乱数表データフォルダ２３内には、乱数表データ（図示せず）が格納されている。乱数表データは、規則性の無い数字（乱数）が並べられたデータである。各数字は、２進数によって表現されており、実際には、「１」と「０」の組み合わせとなっている。
【００６３】
また、判定練習画面データフォルダ２４内には、図示はしていないが、後述する判定練習用画面（図１０の符号５０を参照。）を表示装置７の画面に表示させるための画像データ、文字データ、画面においてポインタ等を操作した場合に画面を変化させるための画面制御データ等が格納されている。画像データは、画面上の各位置を示す情報と、その位置の微少画面領域（画素）の色彩や輝度等を表現する情報などからなり、実際には、「１」と「０」の組み合わせとなっている。画面制御データは、画面を制御するための制御情報を含んでおり、実際には、「１」と「０」の組み合わせとなっている。
【００６４】
また、図３に示すように、練習用波形画像データフォルダ２５内には、第１練習用波形画像データ３１ｄ１，第２練習用波形画像データ３１ｄ２，…，第ｋ練習用波形画像データ３１ｄｋのｋ個のデータが格納されている。データ個数ｋは、自然数（正の正数）であり、従来の５０回１組の練習が少なくとも２０回は行える程度、例えば１０００個以上となっている。これらの練習用波形画像データ３１ｄ１等には、上記した検査用紙９０の第１検査欄９１及び第２検査欄９２の印字数字の画像と、これらの印字数字の間に受験者によって記入されたことを模擬した手書き数字の画像と、各行の右端の数字に付された印を結んだ検査結果波形が、画像データとして格納されている。データの構成は、上記した判定練習画面の画像データと同様であり、実際には、「１」と「０」の組み合わせとなっている。
【００６５】
また、図４に示すように、正解データフォルダ２６内には、第１正解データ３２ｄ１，第２正解データ３２ｄ２，…，第ｋ正解データ３２ｄｋのｋ個のデータが格納されている。データ個数ｋは、上記した練習用波形画像データ３１ｄ１等の個数と同一である。
【００６６】
図５に示すように、各正解データは、さらにデータを含んでいる。図５は、ｊ番目の正解データである第ｊ正解データ３２ｄｊの構成を示しており、第ｊ正解データ３２ｄｊは、作業量段階正答データ３３ｊと、第１特徴項目正答データ３４ｊｄ１，第２特徴項目正答データ３４ｊｄ２，…，第ｉ特徴項目正答データ３４ｊｄｉのｉ個のデータと、判定正答データ３５ｊを含んでいる。
【００６７】
作業量段階正答データ３３ｊは、作業量段階を示すＡ、Ｂ、Ｃ、Ｄの正答（文字）に対応するデータ（例えば文字データ又は画像データ）である。各特徴項目正答データ３４ｊｄ１等については、以下のように対応している。第１特徴項目正答データ３４ｊｄ１は、「定型特徴」の「（１）曲線の基本傾向」のうちの「・前期曲線がＵ字状」の項目の正答に対応している。第１実施形態のクレペリン検査判定学習装置では、この装置の使用者（学習者）に、各特徴項目の評価を、「○」と「△」と「×」の３段階で考えさせ、いずれかを記入させる。すなわち、ある特徴項目の傾向を有すると判断される場合を「○」とし、その特徴項目の傾向の有無が中間状態であると判断される場合（どちらともいえない場合）を「△」とし、その特徴項目の傾向を有しないと判断される場合を「×」とする。このため、第１特徴項目正答データ３４ｊｄ１は、「○」と「△」と「×」のうちのいずれかの正答（記号）に対応するデータ（例えば記号データ又は画像データ）である。
【００６８】
以下、同様にして、第２特徴項目正答データ３４ｊｄ２は、「定型特徴」の「（１）曲線の基本傾向」のうちの「・後期曲線が右下がり」の項目の正答に対応している。また、第３特徴項目正答データ３４ｊｄ３は、「定型特徴」の「（２）休憩効果」の項目の正答に対応している。また、第４特徴項目正答データ３４ｊｄ４は、「定型特徴」の「（３）適度な波動」の項目の正答に対応している。また、第５特徴項目正答データ３４ｊｄ５は、「定型特徴」の「（４）誤り」の項目の正答に対応している。
【００６９】
また、第６特徴項目正答データ３４ｊｄ６は、「非定型特徴」の「（１）休憩効果なし」の項目の正答に対応している。また、第７特徴項目正答データ３４ｊｄ７は、「非定型特徴」の「（２）激しい動揺」の項目の正答に対応している。また、第８特徴項目正答データ３４ｊｄ８は、「非定型特徴」の「（３）後期初頭部の出不足」の項目の正答に対応している。また、第９特徴項目正答データ３４ｊｄ９は、「非定型特徴」の「（４）大きい落ち込み」の項目の正答に対応している。また、第１０特徴項目正答データ３４ｊｄ１０は、「非定型特徴」の「（５）大きい突出」の項目の正答に対応している。また、第１１特徴項目正答データ３４ｊｄ１１は、「非定型特徴」の「（６）誤答多」の項目の正答に対応している。また、第１２特徴項目正答データ３４ｊｄ１２は、「非定型特徴」の「（７）波動の欠如」の項目の正答に対応している。また、第１３特徴項目正答データ３４ｊｄ１３は、「非定型特徴」の「（８）激しい尻上」の項目の正答に対応している。また、第１４特徴項目正答データ３４ｊｄ１４は、「非定型特徴」の「（９）範囲過大」の項目の正答に対応している。また、第１５特徴項目正答データ３４ｊｄ１５は、「定型特徴」にも「非定型特徴」にも属さない「作業量段階を大きくまたがる範囲過大」の項目の正答に対応している。したがって、第１実施形態においては、特徴項目正答データのデータ個数ｉは、１５となっている。このデータ個数ｉは、一般に、２以上の自然数であれば、どのような数であってもよい。
【００７０】
また、判定正答データ３５ｊは、最終的に下す判定の種類である「ａ」、「ａ’」、「ａ’〜ａ’ｆ」、「ａ’ｆ」、「ａ’ｆ〜Ｆａ」、「Ｆａ」、「ｂ」、「ｂ’」、「ｂ’ｆ」、「ｂ’ｆ〜Ｆｂ」、「Ｆｂ」、「ｃ」、「ｃ’」、「ｃ’ｆ」、「Ｆｃ」、「Ｆｐ」（表１参照）のうちのいずれかの正答（文字及び記号）に対応するデータ（例えば文字データ又は記号データ若しくは画像データ）である。
【００７１】
また、上記した各正答データは、文字又は数字又は記号若しくはこれらの適宜の組み合わせからなるデータ、あるいはこのデータを画像として表示するための画像データであり、実際には、「１」と「０」の組み合わせとなっている。
【００７２】
図６は、図２に示すテーブルフォルダ２２に含まれる第１テーブル４１の構成を示す図である。第１テーブル４１は、乱数表演算結果欄４１ａと波形コード欄４１ｂを有している。また、乱数表演算結果欄４１ａは、ｋ個の乱数表演算結果データＲ１〜Ｒｋを有しており、各乱数表演算結果データＲ１〜Ｒｋには、ｋ個の波形コードＣ１〜Ｃｋが１対１に対応するようにして格納されている。乱数表演算結果データＲ１等は、上記した乱数表データフォルダ２３内の乱数表データをもとにして、主制御部２によって実行される演算プログラムにより算出される結果である。実行される演算としては、所定の数で除算を行った剰余（余り）を算出する計算などが挙げられる。また、波形コードＣ１等は、文字、又は数字、又は記号、若しくはこれらの適宜の組み合わせからなるデータである。また、第１テーブル４１のデータ個数ｋは、上記した練習用波形画像データ３１ｄ１等の個数と同一である。したがって、この第１テーブル４１を参照すれば、乱数表データの演算結果Ｒｘ（ｘ：１〜ｋまでの自然数）から、それに対応する波形コードＣｘを選択することができるようになっている。
【００７３】
また、図７は、図２に示すテーブルフォルダ２２に含まれる第２テーブル４２の構成を示す図である。第２テーブル４２は、波形コード欄４２ａと練習用波形画像データアドレス欄４２ｂを有している。波形コード欄４２ａは、上記したｋ個の波形コードＣ１〜Ｃｋを有しており、各波形コードＣ１〜Ｃｋには、ｋ個の練習用波形画像データアドレスＡ３１ｄ１〜Ａ３１ｄｋが１対１に対応するようにして格納されている。練習用波形画像データアドレスＡ３１ｄ１は、上記した練習用波形画像データ３１ｄ１が格納されている練習用波形画像データフォルダ２５の記憶領域内の位置を示すアドレスである。以下同様に、練習用波形画像データアドレスＡ３１ｄｋは、上記した練習用波形画像データ３１ｄｋが格納されている読出データ記憶領域内の位置を示すアドレスである。したがって、この第２テーブル４２を参照すれば、ある波形コードＣｘ（ｘ：１〜ｋまでの自然数）に応じて、それに対応する練習用波形画像データアドレスＡ３１ｄｘを得ることができるようになっている。
【００７４】
また、図８は、図２に示すテーブルフォルダ２２に含まれる第３テーブル４３の構成を示す図である。第３テーブル４３は、波形コード欄４３ａと正解データアドレス欄４３ｂを有している。波形コード欄４３ａは、上記したｋ個の波形コードＣ１〜Ｃｋを有しており、各波形コードＣ１〜Ｃｋには、ｋ個の正解データアドレスＡ３２ｄ１〜Ａ３２ｄｋが１対１に対応するようにして格納されている。正解データアドレスＡ３２ｄ１は、上記した正解データ３２ｄ１が格納されている正解データフォルダ２６の記憶領域内の位置を示すアドレスである。以下同様に、正解データアドレスＡ３２ｄｋは、上記した正解データ３２ｄｋが格納されている読出データ記憶領域内の位置を示すアドレスである。したがって、この第３テーブル４３を参照すれば、ある波形コードＣｘ（ｘ：１〜ｋまでの自然数）に応じて、それに対応する正解データアドレスＡ３２ｄｘを得ることができるようになっている。
【００７５】
次に、図９ないし図１１を参照しつつ、第１実施形態のクレペリン検査判定学習装置１において実行される基本的なソフトウェアの内容とその手順を詳細に説明する。図９は、この第１実施形態のクレペリン検査判定学習装置１の主制御部２における制御手順（主制御手順）を示す第１のフローチャート図である。また、図１０は、第１実施形態のクレペリン検査判定学習装置１の表示装置７における第１の画面レイアウト例（判定練習時）を示す図である。また、図１１は、第１実施形態のクレペリン検査判定学習装置１の表示装置７における第２の画面レイアウト例（正解表示時）を示す図である。
【００７６】
まず、主制御部２（特に、内部のＣＰＵ）は、図９の制御ステップ（以下、単に「ステップ」という。）Ｓ１０１に示すように、入力装置６からの信号を監視し、練習開始データが入力されたか否かを判別する。すなわち、このクレペリン検査判定学習装置１を起動させた場合に、主制御部２が、表示装置７の画面に、「クレペリン検査判定の練習を始めますか？」というような内容のメッセージを含む欄状又は窓状の画像（図示せず）を表示させるとともに、その画像の付近に、「はい（Ｙ）」と「いいえ（Ｎ）」というような選択ボタン（図示せず）を表示させる。その後、この装置１の使用者（クレペリン検査判定の学習者）が、マウス等を操作して画面上の「はい（Ｙ）」の部分をクリックする、といった動作、あるいは、キーボードから特定のキー、例えば「Ｙ」や「１」のキーを打鍵する、といった動作を行った場合、それによる信号が練習開始データとして入力装置６から主制御部２へ出力される。
【００７７】
主制御部２は、微少な時間、例えば百分の１秒単位の時間、あるいは千分の１秒単位の時間で１つの処理を実行する。したがって、練習開始データが入力されていない場合（ステップＳ１０１でＮ（「ＮＯ」の略）の場合）には、例えば百分の１秒単位の時間、あるいは千分の１秒単位の時間で、このステップＳ１０１の判別を繰り返すことになる。
【００７８】
練習開始データが入力された場合（ステップＳ１０１でＹ（「ＹＥＳ」の略）の場合）には、主制御部２は、図２に示す乱数表データフォルダ２３に格納されている乱数表データを用いて所定の演算プログラムを実行し、それにより算出される演算結果（Ｒ１〜Ｒｋのうちのいずれか。ここでは仮に「Ｒｙ」とする。）を得る。次に、この演算結果Ｒｙに基づき、図６に示す第１テーブル４１を参照し、乱数表演算結果欄４１ａの乱数表演算結果Ｒｙに対応する波形コード（Ｃ１〜Ｃｋのうちのいずれか。ここでは仮に「Ｃｙ」とする。）を得る。このようにして、ｋ個の波形コードＣ１〜Ｃｋのうちから１個の波形コードが選択される（図９のステップＳ１０２を参照）。
【００７９】
次に、主制御部２は、上記のようにして選択された波形コードＣｙに基づき、図７に示す第２テーブル４２を参照し、波形コード欄４２ａの波形コードＣｙに対応する練習用波形画像データアドレス（Ａ３１ｄ１〜Ａ３１ｄｋのうちのいずれか。ここでは仮に「Ａ３１ｄｙ」とする。）を得る。主制御部２は、このようにして得られた練習用波形画像データアドレスＡ３１ｄｙにより、図３に示す練習用波形画像データフォルダ２５の中から、対応する練習用波形画像データ（３１ｄ１〜３１ｄｋのうちのいずれか。ここでは仮に「３１ｄｙ」とする。）を検索して、データを読み出し、読み出された練習用波形画像データ３１ｄｙを表示装置７へ向けて出力する。
【００８０】
また、主制御部２は上記の制御動作の直前又は直後若しくはほぼ同時に、図２に示す判定練習画面データフォルダ２４の中から、判定練習画面の画像データ、文字データ、画面制御データ等を読み出し、読み出された判定練習画面に関わる画像データを表示装置７へ向けて出力する。
【００８１】
また、主制御部２は、上記した制御動作の後、選択された波形コードＣｙに基づき、図８に示す第３テーブル４３を参照し、波形コード欄４３ａの波形コードＣｙに対応する正解データアドレス（Ａ３２ｄ１〜Ａ３２ｄｋのうちのいずれか。ここでは仮に「Ａ３２ｄｙ」とする。）を得る。主制御部２は、このようにして得られた正解データアドレスＡ３２ｄｙにより、図４に示す正解データフォルダ２６の中から、対応する正解データ（３２ｄ１〜３２ｄｋのうちのいずれか。ここでは仮に「３２ｄｙ」とする。）を検索して、データを読み出し、読み出された正解データ３２ｄｙを一時記憶部４に出力して一時記憶させる。
【００８２】
上記のような主制御部２の制御により、表示装置７の表示面には、図１０に示すような判定練習画面５０が表示され、判定練習画面５０の練習用波形表示欄５２には練習用波形画像データ３２ｄｙに対応する練習用波形画像が表示される（図９のステップＳ１０３を参照）。
【００８３】
図１０に示すように、判定練習画面５０は、練習用波形表示欄５２のほか、練習番号表示欄５１と、作業量段階判定答案記入欄５３と、特徴項目判定答案記入欄５４〜６８と、全体判定答案記入欄６９を有して構成されている。
【００８４】
判定練習番号表示欄５１は、現在表示されている画面を特定するための判定練習番号が表示される。練習用波形表示欄５２は、縦長の形状の窓状の画像である。練習用波形表示欄５２には、検査用紙９０の第１検査欄９１及び第２検査欄９２の印字数字の画像と、これらの印字数字の間に受験者によって記入されたことを模擬した手書き数字の画像と、各行の右端の数字に付された印を結んだ検査結果波形が、検査用紙９０の右端が練習用波形表示欄５２の上方となるような状態で表示される。
【００８５】
なお、通常は、表示装置７の表示面の大きさ、特に縦方向の長さは、検査用紙９０の横幅よりも小さいから、学習者が検査結果波形を見やすいように、練習用波形表示欄５２の縁にスクロールボタン等を表示させ、マウス等でスクロールボタンをクリック又はドラッグすることにより練習用波形表示欄５２の内部の画像を画面の左右方向又は上下方向にスクロール（移動）させることができるように構成してもよい。あるいは、練習用波形表示欄５２の近くに、拡大鏡のマークを付した拡大・縮小ボタンを設け、この拡大ボタンをマウス等でクリックすることにより、練習用波形表示欄５２の内部の画像を拡大又は縮小できるように構成してもよい。画面上で画像を移動させ、あるいは拡大・縮小させる制御技術は、公知の画像制御プログラムが応用可能である。
【００８６】
表示装置７の表示面に、図１０に示すような判定練習画面５０と練習用波形画像が表示されると、学習者による判定の練習が開始されるから、主制御部２は、ステップＳ１０３の終了と同時に、時刻の計測を開始する（ステップＳ１０４）。主制御部２は、図示してはいないが、ソフトウェアで構成されるタイマーを有している。ステップＳ１０４の計時動作は、このタイマーによって行われる。なお、クレペリン検査判定学習装置１内にハードウェアとしてタイマーを備えてもよい。
【００８７】
学習者による判定練習が始まると、学習者は、各答案記入欄５３〜６９に答案を記入することになる。例えば、マウス等により画面上に表示される矢印状の画像であるポインタをいずれかの答案記入欄の中でクリックすることにより記入モードとし、キーボードから文字、記号、数字等を打鍵することにより、答案を入力することができる。
【００８８】
作業量段階判定答案記入欄５３には、作業量段階を示すＡ、Ｂ、Ｃ、Ｄのいずれかが記入される。これらのＡ〜Ｄは、キーボード上の対応するキーで打鍵してもよいし、記入欄５３の縁に小さなスクロールボタン等を表示させ、学習者がマウス等でスクロールボタンをクリックすると、記入欄の内部のＡ、Ｂ、Ｃ、Ｄを選択することができるように構成してもよい。あるいは、Ａ〜Ｄに番号を付しておき、キーボードの数値キーによって入力するようにしてもよい。
【００８９】
また、第１特徴項目判定答案記入欄５４は、「定型特徴」の「（１）曲線の基本傾向」のうちの「・前期曲線がＵ字状」の項目に対応している。また、第２特徴項目判定答案記入欄５５は、「定型特徴」の「（１）曲線の基本傾向」のうちの「・後期曲線が右下がり」の項目に対応している。また、第３特徴項目判定答案記入欄５６は、「定型特徴」の「（２）休憩効果」の項目に対応している。また、第４特徴項目判定答案記入欄５７は、「定型特徴」の「（３）適度な波動」の項目に対応している。また、第５特徴項目判定答案記入欄５８は、「定型特徴」の「（４）誤り」の項目に対応している。
【００９０】
また、第６特徴項目判定答案記入欄５９は、「非定型特徴」の「（１）休憩効果なし」の項目に対応している。また、第７特徴項目判定答案記入欄６０は、「非定型特徴」の「（２）激しい動揺」の項目に対応している。また、第８特徴項目判定答案記入欄６１は、「非定型特徴」の「（３）後期初頭部の出不足」の項目に対応している。また、第９特徴項目判定答案記入欄６２は、「非定型特徴」の「（４）大きい落ち込み」の項目に対応している。また、第１０特徴項目判定答案記入欄６３は、「非定型特徴」の「（５）大きい突出」の項目に対応している。また、第１１特徴項目判定答案記入欄６４は、「非定型特徴」の「（６）誤答多」の項目に対応している。また、第１２特徴項目判定答案記入欄６５は、「非定型特徴」の「（７）波動の欠如」の項目に対応している。また、第１３特徴項目判定答案記入欄６６は、「非定型特徴」の「（８）激しい尻上」の項目に対応している。また、第１４特徴項目判定答案記入欄６７は、「非定型特徴」の「（９）範囲過大」の項目に対応している。また、第１５特徴項目判定答案記入欄６９は、「定型特徴」にも「非定型特徴」にも属さない「作業量段階を大きくまたがる範囲過大」の項目に対応している。
【００９１】
第１実施形態の装置１では、各特徴項目の判定答案記入欄５４〜６８の評価を、「○」と「△」と「×」の３段階としているが、これらに対応する数字（例えば、○は２、△は１、×は０というような数字、あるいは○は３、△は２、×は１というような数字）をキーボードから打鍵するようにしてもよいし、各記入欄の縁に小さなスクロールボタン等を表示させ、学習者がマウス等でスクロールボタンをクリックすると、記入欄の内部の○、△、×を選択し確定することができるように構成してもよい。あるいは、○〜×に番号を付しておき、キーボードの数値キーによって入力するようにしてもよい。
【００９２】
また、全体判定答案記入欄６９は、最終的に下す判定の種類である「ａ」、「ａ’」、「ａ’〜ａ’ｆ」、「ａ’ｆ」、「ａ’ｆ〜Ｆａ」、「Ｆａ」、「ｂ」、「ｂ’」、「ｂ’ｆ」、「ｂ’ｆ〜Ｆｂ」、「Ｆｂ」、「ｃ」、「ｃ’」、「ｃ’ｆ」、「Ｆｃ」、「Ｆｐ」（表１参照）のうちのいずれかの答案を記入する欄である。
【００９３】
全体判定答案記入欄６９に記入する判定タイプの種類は多いから、上記と同様に、記入欄の縁に小さなスクロールボタン等を表示させ、学習者がマウス等でスクロールボタンをクリックすると、記入欄の内部の判定種類「ａ’」等を選択することができるように構成してもよい。あるいは、各判定タイプに番号を付しておき、キーボードの数値キーによって入力するようにしてもよい。これらの画像表示、制御技術についても、公知の画像制御プログラムが応用可能である。また、各答案記入欄への答案の記入や答案の選択は、表示装置７の表示面上に設置されたタッチパネル装置（図示せず）により、画面の上のガラス表面やプラスチック表面等にスタイラスペン等を用いて直接行うように構成してもよい。
【００９４】
このように、学習者が、入力装置６を用いて、判定練習画面５０の各答案記入欄５３〜６９に、答案である文字又は数字又は記号若しくはこれらの適宜の組み合わせからなる答案データを入力した場合には、主制御部２は、これらの答案データを対応する画像データに変換させて表示装置７へ出力し、これらの学習者答案を、画像として、判定練習画面５０の各判定記入欄の中に表示させる（図９のステップＳ１０５を参照）。
【００９５】
次に、主制御部２は、各答案データの入力状況を監視する。その結果、図１０における符号５３から符号６８までの判定答案がすべて記入されるとともに、符号６９で示される全体判定答案が記入されたことを検出した場合には、表示装置７の画面に、「クレペリン検査判定の答え合わせをしますか？」というような内容のメッセージを含む欄状又は窓状の画像（図示せず）を表示させる。また、同時に、その画像の付近に、「はい（Ｙ）」と「いいえ（Ｎ）」というような選択ボタン（図示せず）を表示させる。
【００９６】
その後、学習者が、マウス等を操作して画面上の「はい（Ｙ）」の部分をクリックする、といった動作、あるいは、キーボードから特定のキー、例えば「Ｙ」や「１」のキーを打鍵する、といった動作を行った場合には、主制御部２は、「答え合わせ開始データ」が入力された（Ｙ）と判別し、学習者が、マウス等を操作して画面上の「いいえ（Ｎ）」の部分をクリックする、といった動作、あるいは、キーボードから特定のキー、例えば「Ｎ」や「０」のキーを打鍵する、といった動作を行った場合には、主制御部２は、「終了データ」が入力された（ステップＳ１０６における判別結果Ｎ）と判別する（図９のステップＳ１０６を参照）。
【００９７】
上記したステップＳ１０６において、「Ｙ」の場合には、主制御部２は、この回の判定練習は完了した、と判別し、次のステップＳ１０７を実行して、タイマーによる時間計測を終了し、ステップＳ１０４からステップＳ１０７までの経過時間（所要時間）を検出する。この経過時間は、主制御部２の制御により、時間データのまま、あるいは数字の画像データに変換され、一時記憶部４等において一時記憶された後、後述する答え合わせの際に画像データとして表示装置７に出力され、画面の適宜箇所に画像として表示するようにしてもよい。
【００９８】
また、主制御部２は、ステップＳ１０７の実行に続いて、上述のようにして一時記憶部４に一時記憶されている正解データ３２ｄｙを読み出し、画像データの場合には直接に、文字等のデータの場合には画像データや画面制御データ等に変換した後、表示装置７へ向けて出力する。このような主制御部２の制御により、表示装置７に表示される判定練習画面５０の所定箇所には、図１１に示すように、例えば、第１特徴項目判定答案記入欄５４が、学習者答案表示欄７１と正解表示欄７２の２個の欄に分かれて表示される。
【００９９】
なお、図１１は、第１特徴項目判定答案記入欄５４の近傍のみを図示して他は省略した図であり、他の判定答案記入欄５５〜６９も、上記と同様にして２つの欄に分裂して表示される（図９のステップＳ１０８を参照）。図１１の場合は、第１特徴項目に対する学習者の答案が「○」であったのに対し、正解は「△」であったことを示している。
【０１００】
なお、主制御部２は、当初の判定答案記入欄は判定練習画面上でそのまま変化させずに学習者の記入答案を表示し続けるようにし、判定答案記入欄の横位置（例えば、図１０における右方に隣接する箇所など）に正解表示欄が窓を開くように又は開口するような状態で出現するように表示装置７を制御してもよい。
【０１０１】
また、図９のステップＳ１０６において、主制御部２が、「終了データ」が入力された（ステップＳ１０６における判別結果Ｎ）と判別した場合には、主制御部２は、上記のステップＳ１０７とステップＳ１０８を実行せずにスキップし、この回の練習を終了させる。
【０１０２】
上記した第１実施形態のクレペリン検査判定学習装置１によれば、この装置１の使用者（学習者）は、クレペリン検査の判定方法を、適宜かつ随時に学習することができる。このため、練習を繰り返すことにより、判定能力を徐々に向上させることができる、という利点を有している。また、自己の答案に対する正解を、個々の項目ごとに表示するため、学習者にとって、判定基準がより明確になり、判定基準がかなり規格化される、ということになる。また、自己の答案に対する正解を、個々の項目ごとに表示することは、学習者自身の判定基準に偏りや誤解がある場合でも、それらを容易に矯正することができる、という利点にもつながる。
【０１０３】
上記した第１実施形態において、主制御部２は、特許請求の範囲における処理制御手段に相当している。また、主記憶装置３は、特許請求の範囲におけるデータ格納手段に相当している。また、一時記憶部４は、特許請求の範囲における一時記憶手段に相当している。また、入力装置６は、特許請求の範囲における入力手段に相当している。また、表示装置７は、特許請求の範囲における表示手段に相当している。また、主制御部２内にソフトウェアで構成されるタイマー、又はクレペリン検査判定学習装置１内にハードウェアとして備えられるタイマーは、時間計測手段に相当している。なお、時間計測手段は設けなくてもよい。
【０１０４】
（２）第２実施形態
次に、本発明の第２実施形態について説明を行う。図１２は、本発明の第２実施形態であるクレペリン検査判定学習装置の主制御部における制御手順（誤答検出・表示手順）を示す第２のフローチャート図である。
【０１０５】
第２実施形態のクレペリン検査判定学習装置は、ハードウェアの構成としては、上記した第１実施形態のクレペリン検査判定学習装置１とまったく同様である。第２実施形態のクレペリン検査判定学習装置が、第１実施形態のクレペリン検査判定学習装置１と異なる点は、第１実施形態の場合の制御プログラム（図２参照）に相当するプログラムの内容が一部異なることである。このため、主制御部２が実行するプログラムのフローチャートが一部異なっている。図１２は、第１実施形態とは異なる第２実施形態の制御手順を示したフローチャート図である。
【０１０６】
第２実施形態のクレペリン検査判定学習装置においては、図９に示すフローチャートはそのまま実行される。第２実施形態のクレペリン検査判定学習装置においては、図９のステップＳ１０８の実行後、ソフトウェアを終了せず、図１２のステップＳ１２１を実行する。
【０１０７】
これにより、主制御部２は、表示装置７の画面に、「今回の判定練習で、あなたがまちがった箇所をさがしますか？」というような内容のメッセージを含む欄状又は窓状の画像（図示せず）を表示させるとともに、その画像の付近に、「はい（Ｙ）」と「いいえ（Ｎ）」というような選択ボタン（図示せず）を表示させる。その後、学習者が、マウス等を操作して画面上の「はい（Ｙ）」の部分をクリックする、といった動作、あるいは、キーボードから特定のキー、例えば「Ｙ」や「１」のキーを打鍵する、といった動作を行った場合には、主制御部２は、「誤答検出開始データ」が入力された（Ｙ）と判別し、学習者が、マウス等を操作して画面上の「いいえ（Ｎ）」の部分をクリックする、といった動作、あるいは、キーボードから特定のキー、例えば「Ｎ」や「０」のキーを打鍵する、といった動作を行った場合には、主制御部２は、「終了データ」が入力された（ステップＳ１２１における判別結果Ｎ）と判別する（図１２のステップＳ１２１を参照）。
【０１０８】
ステップＳ１２１において、「Ｙ」の場合には、主制御部２は、次のステップＳ１２２を実行する。この場合、主制御部２は、判定練習画面５０の各答案記入欄５３〜６９に記入された学習者の答案のうち、正解と一致しないもの（誤答）の表示形態を、他のもの（正解と一致した場合の答案や、判定練習番号表示欄５１内の文字など）の表示とは異なる形態の表示となるように、表示装置７を制御する。
【０１０９】
上記した「他と異なる形態の表示」の例としては、誤答の答案（文字又は数字又は記号若しくはこれらの適宜の組み合わせ）の文字等の部分を目立つ色彩で着色して表示する方法が挙げられる。また、誤答の答案の背景部分を暗い色や濃い色に変化させるとともに、誤答の文字等の部分を白抜き文字等として表示する「明暗反転表示」としてもよい。また、誤答の文字等の部分を、点滅表示させるようにしてもよい。また、誤答の文字等の部分の近くに「！」の符号を付加したり、誤答の文字等の部分の下方にアンダーラインを付加したり、誤答の文字等の部分の周囲を枠で包囲して表示するようにしてもよい。すなわち、誤答の文字等の部分の近傍に、誤答を示す符号又は図形を付加するのである。あるいは、誤答の文字等の部分に重複させて、誤答を示す符号又は図形を付加してもよい。また、上記した表示の一部又は全部を適宜組み合わせた表示としてもよい。
【０１１０】
誤答の部分をこのように表示すれば、よく目立ち、どの項目がまちがったか、学習者が容易に理解できる、という利点がある。
【０１１１】
ステップＳ１２２の実行後、主制御部２は、「終了データ」の入力の有無を監視する。終了データとは、学習者が、マウス等を操作して画面上の適宜箇所に表示されている「アプリケーションの終了」の部分をクリックする、といった動作、あるいは、キーボードから特定のキー、例えば「Ａｌｔ」キーと「Ｆ４」キーを同時打鍵する、といった動作を行った場合には、主制御部２は、「終了データ」が入力された（Ｙ）と判別し、そのような動作が行われない場合には「終了データ」は入力されていない（Ｎ）と判別する（図１２のステップＳ１２３を参照）。
【０１１２】
ステップＳ１２３において、「Ｙ」の場合には、主制御部２は、次のステップＳ１２４に移行し、今回の判定練習の結果、例えば学習者の記入答案と、今回の正解、判定練習に要した時間、判定練習の日時等を、図２に示す練習結果データフォルダ２８内に判定練習結果データ等として記憶させた後、このクレペリン検査判定学習プログラムを終了させる。上記したステップＳ１２１で終了データが入力された（ステップＳ１２１における判別結果Ｎ）場合も、まったく同様の制御処理を行う。
【０１１３】
なお、このステップＳ１２４と同様の処理内容を実行するステップは、第１実施形態におけるフローチャート（図９）のステップＳ１０８の実行後に、例えばステップＳ１０９（図示せず）として実行させてもよい。また、上記のステップＳ１０９を有する手順においては、ステップＳ１０６の判別結果が「Ｎ」の場合は、ステップＳ１０９を実行した後に、このクレペリン検査判定学習アプリケーション・ソフトウェアを終了することになる。
【０１１４】
（３）第３実施形態
次に、本発明の第３実施形態について説明を行う。図１３は、本発明の第３実施形態であるクレペリン検査判定学習装置の主制御部における制御手順（Ｎ回練習後採点手順）を示す第３のフローチャート図である。
【０１１５】
第３実施形態のクレペリン検査判定学習装置は、ハードウェアの構成としては、上記した第１実施形態のクレペリン検査判定学習装置１とまったく同様である。第３実施形態のクレペリン検査判定学習装置が、第１実施形態のクレペリン検査判定学習装置１と異なる点は、第１実施形態の場合の制御プログラム（図２参照）に相当するプログラムの内容が一部異なることである。このため、主制御部２が実行するプログラムのフローチャートが一部異なっている。図１３は、第１実施形態とは異なる第３実施形態の制御手順を示したフローチャート図である。
【０１１６】
第３実施形態のクレペリン検査判定学習装置においては、図９に示すフローチャートはそのまま実行される。第３実施形態のクレペリン検査判定学習装置においては、図９のステップＳ１０１からステップＳ１０８までを１回の練習とし、この練習を連続してＮ回（Ｎ：２以上の自然数）だけ繰り返す。このＮの値としては、例えば５０などが用いられる。なお、この場合には、各回の練習の結果データ、例えば学習者の記入答案、今回の正解、判定練習に要した時間、判定練習の日時等は、第２実施形態におけるステップＳ１２４（図１２参照）と同様にして、図２に示す練習結果データフォルダ２８内に判定練習結果データ等として各回の練習ごとに記憶されるものとする。
【０１１７】
このようにして、連続してＮ回の練習が実行された場合には、主制御部２は、表示装置７の画面に、例えば、「５０回の練習が終わりました。５０回の練習の全体を通した採点をしますか？」というような内容のメッセージを含む欄状又は窓状の画像（図示せず）を表示させるとともに、その画像の付近に、「はい（Ｙ）」と「いいえ（Ｎ）」というような選択ボタン（図示せず）を表示させる。その後、学習者が、マウス等を操作して画面上の「はい（Ｙ）」の部分をクリックする、といった動作、あるいは、キーボードから特定のキー、例えば「Ｙ」や「１」のキーを打鍵する、といった動作を行った場合には、主制御部２は、「Ｎ回採点開始データ」が入力された（Ｙ）と判別し、学習者が、マウス等を操作して画面上の「いいえ（Ｎ）」の部分をクリックする、といった動作、あるいは、キーボードから特定のキー、例えば「Ｎ」や「０」のキーを打鍵する、といった動作を行った場合には、主制御部２は、「終了データ」が入力された（ステップＳ１３１における判別結果Ｎ）と判別する（図１３のステップＳ１３１を参照）。
【０１１８】
ステップＳ１３１において、「Ｙ」の場合には、主制御部２は、判定練習画面５０の各答案記入欄５３〜６９に記入された学習者の答案のうち、正解と一致しないもの（誤答）の個数（誤答数）をカウントする。このカウントは、図２に示す練習結果データフォルダ２８内に判定練習結果データ等と記憶されている各回の練習の結果を主制御部２が読み出すことにより行われる。誤答数の値のデータは、一時記憶部４に一時記憶される。主制御部２は、誤答数の値（以下、「Ｂ」とする。）が得られると、連続練習回数値Ｎに対するＢの比率（例えば百分率）を演算し、誤答率データとして一時記憶部４に一時記憶させる。
【０１１９】
また、図示はしていないが、図２の読出データ記憶領域１２には、ある範囲の誤答率に対してあらかじめ設定された講評のコメント文データが格納されている。この講評コメント文データは、例えば、誤答率が０〜１０％の場合は「模範的なクレペリン判定者のレベルです。」などとし、誤答率が１０〜２０％の場合は「あともう少しがんばれば模範的なクレペリン判定者のレベルに到達します。」などとし、誤答率が２０〜３０％の場合は「ちょっとミスが多いですね。まちがった箇所を復習するようにして下さい。」などとし、以下、誤答率が１００％まで、対応する講評の短文のデータを含んでいる。主制御部２は、誤答率が算出された場合には、図２の読出データ記憶領域１２から、この誤答率に対応する講評コメント文データを検索して読み出し、一時記憶部４に一時記憶させる。
【０１２０】
主制御部２は、講評コメント文データの検索、読み出し、一時記憶を実行すると、一時記憶部４に一時記憶されている「誤答数データ」と「誤答率データ」と「講評コメント文データ」を読み出し、これらのデータを画像データに変換させて表示装置７へ出力する。これにより、表示装置７の判定練習画面５０の所定箇所には、図１４に示すように、例えば、第１特徴項目判定答案記入欄５４の箇所が、誤答数表示欄７５と誤答率表示欄７６と講評表示欄７７の３個の欄に変化して表示される。
【０１２１】
なお、図１４は、第１特徴項目判定答案記入欄５４の近傍のみを図示して他は省略した図であり、他の判定答案記入欄５５〜６９も、上記と同様にして３つの欄に分裂して表示される（図１３のステップＳ１３２及びＳ１３３を参照。なお、講評の表示に相当するステップは図示を省略。）。図１４の場合は、連続５０回の判定練習の結果、第１特徴項目に対する誤答個数が３個で、誤答率が６％であったことを示している。
【０１２２】
なお、誤答数、誤答率、講評の表示は、いずれか１個、又はこれらの適宜の組み合わせを表示させるようにしてもよい。また、講評文データは、誤答数に対応したデータとして格納されるようにしてもよい。
【０１２３】
ステップＳ１３４を実行すると、主制御部２は、次に、ステップＳ１３４（Ｎ回傾向分析処理）に移行して処理を行う。このＮ回傾向分析は、以下のようにして行われる。
【０１２４】
まず、各特徴項目（図１０の符号５４〜６８に対応する項目）については、記号「○」には数値「３」が段階値として割り当てられ、記号「△」には数値「２」が段階値として割り当てられ、記号「×」には数値「１」が段階値として割り当てられているとする。すなわち、当該特徴項目の傾向を最も有しない場合である「×」の割り当て値「１」は特許請求の範囲におけるｍ1に相当し、当該特徴項目の傾向を最も有する場合である「○」の割り当て値「３」は特許請求の範囲におけるｍ2に相当しており、ｍ1＜ｍ2となっている。
【０１２５】
第１特徴項目について、学習者により第１特徴項目答案記入欄（図１０の符号５４、又は図１１の符号７１を参照）に記入された答案の段階を示す数値である第１特徴項目答案段階値Ｖs1と、第１特徴項目正答データの段階を示す数値である第１特徴項目正答段階値Ｖt1との差分（Ｖs1−Ｖt1）を各回の練習ごとに演算し、差分のＮ回の累計値を演算する。例えば、図１１に示す学習者の入力した答案「○」の第１特徴項目答案段階値Ｖs1は３となる。また、第１特徴項目正答データ「△」の第１特徴項目正答段階値Ｖt1は２となる。したがって、３−２＝１より、この回の差分値（Ｖs1−Ｖt1）は、「１」となる。このようにしてＮ回（例えば５０回）に結果についてそれぞれ算出された差分値の合計値（差分累計値）を演算する。
【０１２６】
したがって、第１特徴項目について、学習者の記入したＮ回の答案のすべてが正解と一致すれば、上記した差分累計値は零となる。この場合には、主制御部２は、画面の表題を「Ｎ回傾向分析」とするような画像データを表示装置７に出力して表示させるとともに、第１特徴項目の欄（図１０の符号５４の欄の近傍箇所）に短文を表示する欄（図示せず）の画像データを表示装置７に出力して表示させ、この欄の中に「模範的なクレペリン判定者のレベルです。」というような内容の講評表示を行うように表示装置７に画像データを出力して制御する。
【０１２７】
また、正解が「○（Ｖt1＝３）」であるのに答案を「△（Ｖs1＝２）」又は「×（Ｖs1＝１）」としたり、正解が「△（Ｖt1＝２）」であるのに答案を「×（Ｖs1＝１）」とするように学習者が記入すれば、差分値は（Ｖs1−Ｖt1）であるから、差分値は負の値となる。したがって、差分累計値が負値となった場合は、「学習者の答案は、正解に比べて、第１特徴項目の傾向を有しないと判定することが多い」、すなわち「学習者の答案は、第１特徴項目について、正解よりも過小評価することが多い」という傾向を示している、考えられる。このような場合には、主制御部２は、画面の表題を「Ｎ回傾向分析」とするような画像データを表示装置７に出力して表示させるとともに、第１特徴項目の欄（図１０の符号５４の欄の近傍箇所）に短文を表示する欄（図示せず）の画像データを表示装置７に出力して表示させ、この欄の中に「模範的なクレペリン判定者よりも、過小評価しがちです。」というような内容の講評表示を行うように表示装置７に画像データを出力して制御する。
【０１２８】
また、正解が「△（Ｖt1＝２」であるのに答案を「○（Ｖs1＝３）」としたり、正解が「×（Ｖt1＝１）」であるのに答案を「○（Ｖs1＝３）」又は「△（Ｖs1＝２）」とするように学習者が記入すれば、差分値は（Ｖs1−Ｖt1）であるから、差分値は正の値となる。したがって、差分累計値が正値となった場合は、「学習者の答案は、正解に比べて、第１特徴項目の傾向を有すると判定することが多い」、すなわち「学習者の答案は、第１特徴項目について、正解よりも過大評価することが多い」という傾向を示している、考えられる。このような場合には、主制御部２は、画面の表題を「Ｎ回傾向分析」とするような画像データを表示装置７に出力して表示させるとともに、第１特徴項目の欄（図１０の符号５４の欄の近傍箇所）に短文を表示する欄（図示せず）の画像データを表示装置７に出力して表示させ、この欄の中に「模範的なクレペリン判定者よりも、過大評価しがちです。」というような内容の講評表示を行うように表示装置７に画像データを出力して制御する。
【０１２９】
以下、同様にして、第２特徴項目の欄（図１０の符号５５の欄の近傍箇所）、第３特徴項目の欄（図１０の符号５６の欄の近傍箇所），…，第ｉ特徴項目の欄（図１０の画面の場合は、最後の第１５特徴項目の表示欄である符号６８の欄の近傍箇所）について、上記と同様の処理、制御を行い、表示装置７に講評を表示させる。
【０１３０】
なお、一般に、各特徴項目（図１０の符号５４〜６８に対応する項目）についての評価方法がｍ段階評価（ｍ：２以上の自然数）の場合には、当該特徴項目の傾向を最も有しない場合をｍ1とし、当該特徴項目の傾向を最も有する場合をｍ2とし、かつ、ｍ1＜ｍ2となるように設定すればよい。
【０１３１】
また、第１特徴項目（図１０の符号５４に対応する特徴項目）は、特許請求の範囲における第１特徴項目に相当し、第１５特徴項目（図１０の符号６８に対応する特徴項目）は、特許請求の範囲における第ｉ特徴項目に相当している。
【０１３２】
なお、上記と内容は同じだが、異なる方法を用いてもよい。すなわち、この場合は、上記とは逆に、ｍ段階の評価が、当該特徴項目の傾向を最も有しない場合をｍ3とし、当該特徴項目の傾向を最も有する場合をｍ4とし、かつ、ｍ4＜ｍ3となるように設定する。例えば、「○」と「△」と「×」の３段階評価の場合には、記号「○」には数値「１」を段階値として割り当て、記号「△」には数値「２」を段階値として割り当て、記号「×」には数値「３」が段階値として割り当てるようにするのである。
【０１３３】
そして、練習開始データの入力から正解の表示までを１回の練習としたとき、連続してＮ回（Ｎ：２以上の自然数）の練習が実行された後、入力装置６により、Ｎ回採点開始データが入力された場合には、主制御部２は、学習者により第１特徴項目答案記入欄に記入された答案の段階を示す数値である第１特徴項目答案段階値Ｖs1と、第１特徴項目正答データの段階を示す数値である第１特徴項目正答段階値Ｖt1との差分（Ｖs1−Ｖt1）を各回の練習ごとに演算し、差分の前記Ｎ回の累計値である差分累計値を演算し、差分累計値が零である場合には「第１特徴項目の評価は模範判定者のレベルである」旨の表示を表示装置７に表示させ、差分累計値が負値である場合には「模範判定者よりも、第１特徴項目の傾向を有すると判定することが多い」旨の表示を表示装置７に表示させ、差分累計値が正値である場合には「模範判定者よりも、第１特徴項目の傾向を有しないと判定することが多い」旨の表示を表示装置７に表示させ、以下同様にして、第ｉ特徴項目まで表示装置７に表示させるように制御するのである。
【０１３４】
上記は、特徴項目（図１０の符号５４〜６８で示す欄に対応する項目）についてのＮ回傾向分析である。本実施形態のクレペリン検査判定学習装置は、さらに、全体判定（図１０の符号６９で示す欄に対応する判定）のＮ回傾向分析も行うことができる。
【０１３５】
この場合には、上記した表１において、作業量段階Ａの横に並ぶ「ａ」から「Ｆａ」までの６個の判定分類に、それぞれある評価段階値を割り当てる。例えば、「ａ」の場合の評価段階値を「２６」とし、「ａ’」の場合の評価段階値を「２５」とし、「ａ’〜ａ’ｆ」の場合の評価段階値を「２４」とし、「ａ’ｆ」の場合の評価段階値を「２３」とし、「ａ’ｆ〜Ｆａ」の場合の評価段階値を「２２」とし、「Ｆａ」の場合の評価段階値を「２１」とする。すなわち、この場合の評価段階値「２１」は、特許請求の範囲における「評価ｐ1」に相当し、判定「Ｆａ」は、特許請求の範囲における「判定Ｙに相当している。また、この場合の評価段階値「２６」は、特許請求の範囲における「評価ｐ2」に相当し、判定「ａ」は、特許請求の範囲における「判定Ｘに相当している。また、６段階評価は、特許請求の範囲における「ｐ段階評価」に相当している。
【０１３６】
同様にして、上記の表１において、作業量段階Ｂの横に並ぶ「ｂ」から「Ｆｂ」までの５個の判定分類にも、それぞれある評価段階値を割り当てる。例えば、「ｂ」の場合の評価段階値を「１５」とし、「ｂ’」の場合の評価段階値を「１４」とし、「ｂ’ｆ」の場合の評価段階値を「１３」とし、「ｂ’ｆ〜Ｆｂ」の場合の評価段階値を「１２」とし、「Ｆｂ」の場合の評価段階値を「１１」とする。すなわち、この場合の評価段階値「１１」は、特許請求の範囲における「評価ｐ1」に相当し、判定「Ｆｂ」は、特許請求の範囲における「判定Ｙに相当している。また、この場合の評価段階値「１５」は、特許請求の範囲における「評価ｐ2」に相当し、判定「ｂ」は、特許請求の範囲における「判定Ｘに相当している。また、５段階評価は、特許請求の範囲における「ｐ段階評価」に相当している。
【０１３７】
同様にして、上記の表１において、作業量段階Ｃの横に並ぶ「ｃ」から「Ｆｃ」までの４個の判定分類にも、それぞれある評価段階値を割り当てる。例えば、「ｃ」の場合の評価段階値を「６」とし、「ｃ’」の場合の評価段階値を「５」とし、「ｃ’ｆ」の場合の評価段階値を「４」とし、「Ｆｃ」の場合の評価段階値を「３」とする。すなわち、この場合の評価段階値「３」は、特許請求の範囲における「評価ｐ1」に相当し、判定「Ｆｃ」は、特許請求の範囲における「判定Ｙに相当している。また、この場合の評価段階値「６」は、特許請求の範囲における「評価ｐ2」に相当し、判定「ｃ」は、特許請求の範囲における「判定Ｘに相当している。また、４段階評価は、特許請求の範囲における「ｐ段階評価」に相当している。
【０１３８】
さらに、上記の表１において、作業量段階「Ｄ」の判定分類の場合の評価段階値を「２」とし、他の判定分類「Ｆｐ」の場合の評価段階値を「１」とする。
【０１３９】
なお、一般的には、判定練習画面の判定答案記入欄に記入する答案、及び判定正答データは、傾向の有無をｐ段階（ｐ：２以上の自然数）で評価する記号又は数値、若しくはこれらを示すデータとし、このｐ段階の評価は、一方の端である判定Ｘの場合をｐ2とし、他の端である判定Ｙの場合をｐ1とし、かつ、ｐ1＜ｐ2となるように設定すればよい。
【０１４０】
そして、連続してＮ回（Ｎ：２以上の自然数）の練習が実行された後、入力装置６により、Ｎ回採点開始データが入力された場合には、主制御部２は、学習者により判定答案記入欄に記入された答案の段階を示す数値である判定答案段階値Ｄsと、第１特徴項目正答データの段階を示す数値である判定正答段階値Ｄtとの差分（Ｄs−Ｄt）を各回の練習ごとに演算する。その後、主制御部２は、この差分のＮ回の累計値である差分累計値を演算する。
【０１４１】
そして、差分累計値が零である場合には、「最終判定の評価は模範判定者のレベルである」旨の表示を表示装置７に表示させるように画像データ等を出力する。また、差分累計値が負値である場合には、正解に比べ、評価段階値が低い方へ判定が偏りがちであることを示している、と考えられるから、「模範判定者よりも、判定Ｆａ、Ｆｂ、Ｆｃの側に近い最終判定をすることが多い」旨の表示を表示装置７に表示させるように画像データ等を出力する。また、差分累計値が正値である場合には、正解に比べ、評価段階値が高い方へ判定が偏りがちであることを示している、と考えられるから、「模範判定者よりも、判定ａ、ｂ、ｃの側に近い最終判定をすることが多い」旨の表示を表示装置７に表示させるように画像データ等を出力する。
【０１４２】
なお、上記と内容は同じだが、異なる方法を用いてもよい。すなわち、この場合は、上記とは逆に、作業量段階Ａの横に並ぶ「ａ」から「Ｆａ」までの６個の判定分類に割り当てる評価段階値とし、例えば、「ａ」の場合の評価段階値を「２１」とし、「ａ’」の場合の評価段階値を「２２」とし、「ａ’〜ａ’ｆ」の場合の評価段階値を「２３」とし、「ａ’ｆ」の場合の評価段階値を「２４」とし、「ａ’ｆ〜Ｆａ」の場合の評価段階値を「２５」とし、「Ｆａ」の場合の評価段階値を「２６」とする。すなわち、この場合の評価段階値「２６」は、特許請求の範囲における「評価ｐ3」に相当し、判定「Ｆａ」は、特許請求の範囲における「判定Ｙ」に相当している。また、この場合の評価段階値「２１」は、特許請求の範囲における「評価ｐ4」に相当し、判定「ａ」は、特許請求の範囲における「判定Ｘ」に相当している。また、６段階評価は、特許請求の範囲における「ｐ段階評価」に相当している。
【０１４３】
同様にして、上記の表１において、作業量段階Ｂの横に並ぶ「ｂ」から「Ｆｂ」までの５個の判定分類にも、それぞれある評価段階値を割り当てる。例えば、「ｂ」の場合の評価段階値を「１１」とし、「ｂ’」の場合の評価段階値を「１２」とし、「ｂ’ｆ」の場合の評価段階値を「１３」とし、「ｂ’ｆ〜Ｆｂ」の場合の評価段階値を「１４」とし、「Ｆｂ」の場合の評価段階値を「１５」とする。すなわち、この場合の評価段階値「１５」は、特許請求の範囲における「評価ｐ3」に相当し、判定「Ｆｂ」は、特許請求の範囲における「判定Ｙ」に相当している。また、この場合の評価段階値「１１」は、特許請求の範囲における「評価ｐ4」に相当し、判定「ｂ」は、特許請求の範囲における「判定Ｘ」に相当している。また、５段階評価は、特許請求の範囲における「ｐ段階評価」に相当している。
【０１４４】
同様にして、上記の表１において、作業量段階Ｃの横に並ぶ「ｃ」から「Ｆｃ」までの４個の判定分類にも、それぞれある評価段階値を割り当てる。例えば、「ｃ」の場合の評価段階値を「３」とし、「ｃ’」の場合の評価段階値を「４」とし、「ｃ’ｆ」の場合の評価段階値を「５」とし、「Ｆｃ」の場合の評価段階値を「６」とする。すなわち、この場合の評価段階値「６」は、特許請求の範囲における「評価ｐ3」に相当し、判定「Ｆｃ」は、特許請求の範囲における「判定Ｙ」に相当している。また、この場合の評価段階値「３」は、特許請求の範囲における「評価ｐ4」に相当し、判定「ｃ」は、特許請求の範囲における「判定Ｘ」に相当している。また、４段階評価は、特許請求の範囲における「ｐ段階評価」に相当している。
【０１４５】
さらに、上記の表１において、作業量段階「Ｄ」の判定分類の場合の評価段階値を「２」とし、他の判定分類「Ｆｐ」の場合の評価段階値を「１」とする。
【０１４６】
なお、一般的には、判定練習画面の判定答案記入欄に記入する答案、及び判定正答データは、傾向の有無をｐ段階（ｐ：２以上の自然数）で評価する記号又は数値、若しくはこれらを示すデータとし、このｐ段階の評価は、一方の端である判定Ｘの場合をｐ4とし、他の端である判定Ｙの場合をｐ3とし、かつ、ｐ4＜ｐ3
となるように設定すればよい。
【０１４７】
そして、連続してＮ回（Ｎ：２以上の自然数）の練習が実行された後、入力装置６により、Ｎ回採点開始データが入力された場合には、主制御部２は、学習者により判定答案記入欄に記入された答案の段階を示す数値である判定答案段階値Ｄsと、第１特徴項目正答データの段階を示す数値である判定正答段階値Ｄtとの差分（Ｄs−Ｄt）を各回の練習ごとに演算する。その後、主制御部２は、この差分のＮ回の累計値である差分累計値を演算する。
【０１４８】
そして、差分累計値が零である場合には、「最終判定の評価は模範判定者のレベルである」旨の表示を表示装置７に表示させるように画像データ等を出力する。また、差分累計値が負値である場合には、正解に比べ、評価段階値が低い方へ判定が偏りがちであることを示している、と考えられるから、「模範判定者よりも、判定ａ、ｂ、ｃの側に近い最終判定をすることが多い」旨の表示を表示装置７に表示させるように画像データ等を出力する。また、差分累計値が正値である場合には、正解に比べ、評価段階値が高い方へ判定が偏りがちであることを示している、と考えられるから、「模範判定者よりも、判定Ｆａ、Ｆｂ、Ｆｃの側に近い最終判定をすることが多い」旨の表示を表示装置７に表示させるように画像データ等を出力する。
【０１４９】
上記のようにして「Ｎ回傾向分析」の表示を行い、学習者からの入力装置６へのキー入力等により、主制御部２は、次のＮ回時系列分析（ステップＳ１３５）を行う。
【０１５０】
Ｎ回時系列分析としては、２つの手法が挙げられる。第１の手法は、図１５（Ａ）に示すように、Ｎ回練習が実行された後、入力装置６により、時系列分析開始データ（マウスによるクリックや、「Ｙ」又は「１」のキーボード入力等）が入力された場合には、主制御部２は、練習回数Ｎを横軸とし、各答案記入欄に記入された答案のうち正解と一致しない誤答の有無を縦軸として表現したグラフを表示装置７に表示させるものである。図１５（Ａ）のグラフにおいて、棒状のヒストグラムが有る位置の練習では、誤答が有ったことが示されている。また、グラフ上に棒状のヒストグラムの表示がない位置の練習では、誤答が無かったことがわかる。
【０１５１】
一方、図１５（Ｂ）は、練習回数Ｎを横軸とし、各答案記入欄に記入された答案のうち正解と一致しない誤答について、いずれかの判定傾向への偏差を縦軸としたグラフとなっている。すなわち、上記したように、「○」を３とし、「△」を２とし、「×」を１とした３段階評価では、正解からの偏差は、±２の範囲となる。図１５（Ｂ）は、この場合の偏差の時系列変化を表している。
【０１５２】
ステップＳ１３５の終了後、主制御部２は、上記したステップＳ１２３と同様にして、「終了データ」の入力の有無を監視する。「終了データ」が入力された（Ｙ）と判別した場合には、次のステップＳ１３７に移行し、そのような動作が行われない場合には「終了データ」は入力されていない（Ｎ）と判別し、「終了データ」の監視を継続する（図１３のステップＳ１３６を参照）。
【０１５３】
ステップＳ１３６において、「Ｙ」の場合には、主制御部２は、上記したＮ回採点の結果、例えば誤答数、誤答率、講評、Ｎ回傾向分析、Ｎ回時系列分析、等を、図２に示す練習結果データフォルダ２８内にＮ回分析結果データ等として記憶させた後、このクレペリン検査判定学習プログラムを終了させる。
【０１５４】
この第３実施形態のようにすれば、学習者の誤答の状況や程度が明確になり、学習者の学習意欲を増大させ、能力向上のための対策を学習者が容易にたてることができる、という利点がある。また、判定を連続して行った場合、時間の経過によって、判定がどのように変化するかも把握でき、反省材料とすることができるようになる。
【０１５５】
（４）第４実施形態
次に、本発明の第４実施形態について説明を行う。図１６は、本発明の第４実施形態であるクレペリン検査判定学習装置の主記憶装置における主記憶領域の構成を示す図であり、図２に示すテーブルフォルダに含まれる第４テーブルの構成を示す図である。また、図１７は、第４実施形態のクレペリン検査判定学習装置の一時記憶部に一時記憶される第５テーブルの構成を示す図である。
【０１５６】
第４実施形態のクレペリン検査判定学習装置は、ハードウェアの構成としては、上記した第１実施形態のクレペリン検査判定学習装置１とまったく同様である。第４実施形態のクレペリン検査判定学習装置が、第１実施形態のクレペリン検査判定学習装置１と異なる点は、第１実施形態の場合の制御プログラム（図２参照）に相当するプログラムの内容が一部異なることである。このため、主制御部２が実行するプログラムのフローチャートが一部異なっている。
【０１５７】
第４実施形態のクレペリン検査判定学習装置においては、図２に示すテーブルフォルダ２２の中に、図１６に示す第４テーブル４４が格納されており、主制御部２の処理により図１７に示す第５テーブル４５が生成されて一時記憶部４に一時記憶され、かつ、図９に示すフローチャートのうち、ステップＳ１０２に相当するステップの内容（手順）が異なっている。
【０１５８】
図１６に示すように、第４テーブル４４は、波形コード欄４４ａと難易度データ欄４４ｂを有している。波形コード欄４４ａは、上記したｋ個の波形コードＣ１〜Ｃｋを有しており、各波形コードＣ１〜Ｃｋには、ｋ個の難易度データＥ１〜Ｅｋが１対１に対応するようにして格納されている。
【０１５９】
難易度データＥ１〜Ｅｋは、上記した練習用波形のそれぞれにあらかじめ設定された難易度のデータである。例えば、練習用波形のうち、判定の非常に困難なものには、難易度Ｅの値として、数値で「５」を与えておき、練習用波形画像データ３１ｄ１〜３１ｄｋのデータ内に含ませておく。また、練習用波形のうち、判定がやや困難なものには、難易度Ｅの値として、数値で「４」を与えておき、練習用波形画像データ３１ｄ１〜３１ｄｋのデータ内に含ませておく。また、練習用波形のうち、判定程度として普通である場合には、難易度Ｅの値として、数値で「３」を与えておき、練習用波形画像データ３１ｄ１〜３１ｄｋのデータ内に含ませておく。また、練習用波形のうち、判定がやや容易なものには、難易度Ｅの値として、数値で「２」を与えておき、練習用波形画像データ３１ｄ１〜３１ｄｋのデータ内に含ませておく。そして、練習用波形のうち、判定の非常に容易なものには、難易度Ｅの値として、数値で「１」を与えておき、練習用波形画像データ３１ｄ１〜３１ｄｋのデータ内に含ませておく。
【０１６０】
上記したように、練習用波形画像データ３１ｄ１〜３１ｄｋのアドレスＡ３１ｄ１〜Ａ３１ｄｋと波形コードＣ１〜Ｃｋは、図７の第２テーブル４２に示すように１対１に対応しているから、各練習用波形画像データごとに設定された難易度データＥ１〜Ｅｋは、波形コードＣ１〜Ｃｋと１対１に対応している。
【０１６１】
この第４実施形態では、図９のフローチャートのステップＳ１０１で練習開始データが入力された場合（ステップＳ１０１でＹの場合）には、主制御部２は、表示装置７の画面に、「難易度設定」というような内容の欄状又は窓状の画像（図示せず）を表示させるとともに、その画像の付近に、「１」、「２」、「３」、「４」、「５」というような難易度選択ボタン（図示せず）を表示させる。その後、学習者が、マウス等を操作して画面上の「２」の部分をクリックする、といった動作、あるいは、キーボードから特定のキー、例えば「２」のキーを打鍵する、といった動作を行った場合、難易度「２」という情報を含む信号が難易度命令データとして入力装置６から主制御部２へ出力される。
【０１６２】
この難易度命令データを受けた場合には、主制御部２は、上記した第４テーブル４４に基づき、図１７に示すような第５テーブル４５を生成し、一時記憶部４の記憶領域に一時記憶させる。第５テーブル４５は、難易度データ欄４５ａと波形コード欄４５ｂを有している。難易度データ欄４５ａには、すべて難易度２が格納されている。そして、波形コード欄４５ｂは、第４テーブル４４の中の波形コードＣ１〜Ｃｋのうち、難易度が２となるもの４５ｂ１〜４５ｂｖが抜き出されて格納されている。データ個数ｖは、ｋよりも小さな自然数となる。
【０１６３】
次に、主制御部２は、第５テーブル４５の波形コード欄４５ｂにランダムにアクセスして、ある波形コード４５ｂｚを選択する。ｚは、１〜ｖのいずれかの数である。その後、主制御部２は、選択された波形コードに基づき、図９のフローチャートのステップＳ１０２以降の処理を実行する。
【０１６４】
難易度をからめた波形コードの選択方法としては、他の方法も採用可能である。例えば、第５テーブル４５が生成された後、主制御部２は、図６に示す乱数表演算結果欄４１ａの一部を抜き出し、波形コード欄４５ｂと関連づける。その後、第１実施形態の場合と同様にして、乱数表データの演算を行い、乱数表演算結果から、波形コード欄４５ｂの対応する波形コードを選択することが可能となる。
【０１６５】
この第４実施形態のようにすれば、学習者は、自分の判定能力程度に応じた練習を行うことができ、判定能力の向上に寄与するものと考えられる。
【０１６６】
（５）第５実施形態
次に、本発明の第５実施形態について説明を行う。図１８は、本発明の第５実施形態であるクレペリン検査判定学習装置の主制御部における制御手順（判定内容ガイダンス）を示す第４のフローチャート図である。
【０１６７】
第５実施形態のクレペリン検査判定学習装置は、ハードウェアの構成としては、上記した第１実施形態のクレペリン検査判定学習装置１とまったく同様である。第５実施形態のクレペリン検査判定学習装置が、第１実施形態のクレペリン検査判定学習装置１と異なる点は、第１実施形態の場合の制御プログラム（図２参照）に相当するプログラムの内容が一部異なることである。このため、主制御部２が実行するプログラムのフローチャートが一部異なっている。図１８は、第１実施形態とは異なる第５実施形態の制御手順を示したフローチャート図である。
【０１６８】
第５実施形態のクレペリン検査判定学習装置においては、主制御部２は、クレペリン検査判定学習アプリケーション・ソフトウェアの起動画面が起動されると、表示装置７の画面に、このソフトウェアで行うことができる項目等をまとめた「メニュー」を表示させるように制御する（図１８のステップＳ１４１を参照）。
【０１６９】
次に、学習者が、「ガイダンス：クレペリン検査判定の内容説明」という画面の部分をマウスでクリックするなどした場合には、主制御部２は、「説明開始データ」と判別し（図１８のステップＳ１４２における判別Ｙを参照）、図２のクレペリン判定内容説明データフォルダ２７からクレペリン判定内容説明データを読み出す。クレペリン判定内容説明データは、クレペリン検査判定の手順又は判定基準を説明する情報を含むデータであり、文字データ、又は画像データ、若しくはこれらの適宜の組み合わせにより構成されている。主制御部２は、このクレペリン判定内容説明データを表示装置７に出力して表示させる（図１８のステップＳ１４３を参照）。
【０１７０】
第５実施形態のクレペリン検査判定学習装置においては、上記のステップＳ１４３が終了したのち、主制御部２は、図９に示すフローチャートのステップＳ１０１を実行するようになっている。
【０１７１】
この第５実施形態のように構成すれば、学習者は、まったくの初心者でも学習を開始することができる、という利点がある。すなわち、クレペリン判定養成講習会の会場から遠隔の箇所に居住する者であったり、多忙で講習会に参加できない者であっても、自分の都合のよい場所、時間帯で学習を開始することができる、という利点がある。
【０１７２】
（６）第６実施形態
次に、本発明の第６実施形態について説明を行う。図１９は、本発明の第６実施形態であるクレペリン検査判定学習装置の主記憶装置における主記憶領域の構成を示す図であり、図２に示すテーブルフォルダに含まれる第６テーブルの構成を示す図である。
【０１７３】
第６実施形態のクレペリン検査判定学習装置は、ハードウェアの構成としては、上記した第１実施形態のクレペリン検査判定学習装置１とまったく同様である。第６実施形態のクレペリン検査判定学習装置が、第１実施形態のクレペリン検査判定学習装置１と異なる点は、図２に示すテーブルフォルダ２２の中に、図１９に示す第６テーブル４６が格納され、かつ、図９に示すフローチャートのうち、ステップＳ１０２に相当するステップの内容（手順）が異なっている点である。
【０１７４】
図１９に示すように、第４テーブル４６は、通し番号欄４６ａと波形コード欄４６ｂを有している。通し番号欄４６ａには、１からｋまでの整数が格納されている。波形コード欄４６ｂは、上記したｋ個の波形コードＣ１〜Ｃｋを有している。しかし、波形コードＣ１〜Ｃｋの順序が異なり、４６ｂ１〜４６ｂｋのように格納されている。
【０１７５】
この第６実施形態では、図９のフローチャートのステップＳ１０１で練習開始データが入力された場合（ステップＳ１０１でＹの場合）には、主制御部２は、第６テーブル４６の通り番号欄４６ａにランダムにアクセスして、ある波形コード４６ｂｗを選択する。ｗは、１〜ｋのいずれかの数である。その後、主制御部２は、選択された波形コードに基づき、図９のフローチャートのステップＳ１０２以降の処理を実行する。
【０１７６】
この第６実施形態のようにすれば、乱数表データを格納する必要がなく、このクレペリン検査判定学習装置のソフトウェアが簡素化される、という利点がある。
【０１７７】
（７）第７実施形態
次に、本発明の第７実施形態について説明を行う。図２０は、本発明の第７実施形態であるクレペリン検査判定学習装置のハードウェアの全体構成を示すブロック図である。図２０に示すように、このクレペリン検査判定学習装置１Ａは、主制御部２と、主記憶装置３Ａと、一時記憶部４と、入出力制御部５と、入力装置６と、表示装置７と、出力装置８を備えて構成されている。このような構成により、このクレペリン検査判定学習装置１Ａは、全体としてコンピュータを構成している。
【０１７８】
第７実施形態のクレペリン検査判定学習装置が、第１実施形態のクレペリン検査判定学習装置１と異なる点は、主記憶装置３Ａとして、第１実施形態で説明したものに加え、他の外部記録装置９を含む点である。外部記録装置９は、プログラム記録媒体Ｍの内容を読み取ることができる装置である。外部記録装置９としては、ＣＤ−ＲＯＭ装置、フレキシブル・ディスク（ＦＤ）装置等を含む磁気ディスク装置、光ディスク装置、光磁気ディスク装置等が含まれる。この場合には、磁気ディスク、光ディスク、光磁気ディスク等がプログラム記録媒体Ｍに相当する。また、外部記録装置９としては、ＰＣカード装置等の各種記憶用カード装置も含まれる。この場合には、各種記憶用カードがプログラム記録媒体Ｍに相当する。
【０１７９】
プログラム記録媒体Ｍには、上記したクレペリン検査判定学習アプリケーション・ソフトウェアが格納されている。このプログラム記録媒体Ｍを用いる場合には、ソフトウェアの内容をクレペリン検査判定学習装置１Ａの主記憶装置３Ａ、特にハードディスク装置等の記憶領域にインストールした後に、このソフトウェアを実行することができる。また、プログラム記録媒体Ｍ内のソフトウェアをクレペリン検査判定学習装置１Ａの主記憶装置３Ａ（ハードディスク装置等）の記憶領域にインストールを行うことはせずに、主制御部２がプログラムを実行する際に、制御命令やデータ等を、プログラム記録媒体Ｍにその都度アクセスして読み出すようにしてもよい。
【０１８０】
なお、本発明は、上記各実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【０１８１】
例えば、上記各実施形態においては、第１から第ｉまでの特徴項目答案記入欄に記入する答案、及び第１から第ｉまでの特徴項目正答データは、傾向の有無を「○」、「△」、「×」の３段階で評価する例について説明したが、本発明はこれには限定されず、評価段階の個数は、２以上の自然数であれば、どのような数であってもよい。例えば、４段階評価、５段階評価、１０段階評価などである。この場合、評価は、「○」、「△」、「×」のような記号で表現してもよいし、０、１、２、又は１、２、３のような数値を割り当ててもよい。数値は、正の値でも負の値でもよく、０を含んでいてもよい。キーボードのキーから入力する場合には、正の値とすれば、負記号「−」を入力する必要がないので、簡易に入力することができる。あらかじめ画面に表示された数値をマウス等で選択する場合には、負の値でも入力に手間がかかるということはない。数値を割り当てる場合は、ある特徴項目の傾向を有すると判断される場合の絶対値は大きく設定し、その特徴項目の傾向を有しないと判断される場合の絶対値を小さく設定し、その特徴項目の傾向の有無が中間状態であると判断される場合（どちらともいえない場合）の絶対値は両者の中間の値に設定するようにすれば、学習者が理解しやすいと考えられる。
【０１８２】
【発明の効果】
以上説明したように、本発明によれば、学習者は、クレペリン検査の判定方法を、適宜かつ随時に学習することができる。このため、練習を繰り返すことにより、判定能力を徐々に向上させることができる、という利点を有している。また、自己の答案に対する正解を、個々の項目ごとに表示するため、学習者にとって、判定基準がより明確になり、判定基準がかなり規格化される、ということになる。また、自己の答案に対する正解を、個々の項目ごとに表示することは、学習者自身の判定基準に偏りや誤解がある場合でも、それらを容易に矯正することができる、という利点も有している。
【図面の簡単な説明】
【図１】本発明の第１実施形態であるクレペリン検査判定学習装置のハードウェアの全体構成を示すブロック図である。
【図２】図１に示すクレペリン検査判定学習装置の主記憶装置における主記憶領域の構成を示す図である。
【図３】図２に示す練習用波形画像データフォルダの構成を示す図である。
【図４】図２に示す正解データフォルダの構成を示す図である。
【図５】図４に示す第ｊ正解データの構成を示す図である。
【図６】図２に示すテーブルフォルダに含まれる第１テーブルの構成を示す図である。
【図７】図２に示すテーブルフォルダに含まれる第２テーブルの構成を示す図である。
【図８】図２に示すテーブルフォルダに含まれる第３テーブルの構成を示す図である。
【図９】第１実施形態のクレペリン検査判定学習装置の主制御部における制御手順（主制御手順）を示す第１のフローチャート図である。
【図１０】第１実施形態のクレペリン検査判定学習装置の表示装置における第１の画面レイアウト例（判定練習時）を示す図である。
【図１１】第１実施形態のクレペリン検査判定学習装置の表示装置における第２の画面レイアウト例（正解表示時）を示す図である。
【図１２】本発明の第２実施形態であるクレペリン検査判定学習装置の主制御部における制御手順（誤答検出・表示手順）を示す第２のフローチャート図である。
【図１３】本発明の第３実施形態であるクレペリン検査判定学習装置の主制御部における制御手順（Ｎ回練習後採点手順）を示す第３のフローチャート図である。
【図１４】第３実施形態のクレペリン検査判定学習装置の表示装置における第３の画面レイアウト例（Ｎ回練習後誤答状況表示時）を示す図である。
【図１５】第３実施形態のクレペリン検査判定学習装置の表示装置に表示される分析グラフの例を示す図である。
【図１６】本発明の第４実施形態であるクレペリン検査判定学習装置の主記憶装置における主記憶領域の構成を示す図であり、図２に示すテーブルフォルダに含まれる第４テーブルの構成を示す図である。
【図１７】第４実施形態のクレペリン検査判定学習装置の一時記憶部に一時記憶される第５テーブルの構成を示す図である。
【図１８】本発明の第５実施形態であるクレペリン検査判定学習装置の主制御部における制御手順（判定内容ガイダンス）を示す第４のフローチャート図である。
【図１９】本発明の第６実施形態であるクレペリン検査判定学習装置の主記憶装置における主記憶領域の構成を示す図であり、図２に示すテーブルフォルダに含まれる第６テーブルの構成を示す図である。
【図２０】本発明の第７実施形態であるクレペリン検査判定学習装置のハードウェアの全体構成を示すブロック図である。
【図２１】クレペリン検査に用いる検査用紙の紙面レイアウトを示す図である。
【図２２】図２１に示す検査用紙における第１検査欄の紙面レイアウトを示す図である。
【図２３】クレペリン検査の内容及び手順を説明する図である。
【図２４】クレペリン検査の結果得られる検査結果波形の例を示す図である。
【符号の説明】
１、１Ａ  クレペリン検査判定学習装置
２  主制御部
３、３Ａ  主記憶装置
４  一時記憶部
５  入出力制御部
６  入力装置
７  表示装置
８  出力装置
９  外部記録装置
１０  主記憶領域
１１  プログラム記憶領域
１２  読出データ記憶領域
１３  ユーザ使用記憶領域
２１  制御プログラム
２２  テーブルフォルダ
２３  乱数表フォルダ
２４  判定練習画面データフォルダ
２５  練習用波形画像データフォルダ
２６  正解データフォルダ
２７  クレペリン判定内容説明データフォルダ
２８  練習結果データフォルダ
３１ｄ１〜３１ｄｋ  練習用波形画像データ
３２ｄ１〜３２ｄｋ  正解データ
３３ｊ  作業量段階正答データ
３４ｊｄ１〜３４ｊｄｉ  特徴項目正答データ
３５ｊ  判定正答データ
４１  第１テーブル
４１ａ  乱数表演算結果欄
４１ｂ  波形コード欄
４２  第２テーブル
４２ａ  波形コード欄
４２ｂ  練習用波形画像データアドレス欄
４３  第３テーブル
４３ａ  波形コード欄
４３ｂ  正解データアドレス欄
４４  第４テーブル
４４ａ  波形コード欄
４４ｂ  難易度データ欄
４５  第５テーブル
４５ａ  難易度データ欄
４５ｂ  波形コード欄
４６  第６テーブル
４６ａ  通し番号欄
４６ｂ  波形コード欄
５０  判定練習画面
５１  判定練習番号表示欄
５２  練習用波形表示欄
５３  作業量段階判定答案記入欄
５４〜６８  特徴項目判定答案記入欄
６９  全体判定答案記入欄
７１  学習者答案表示欄
７２  正解表示欄
７５  誤答数表示欄
７６  誤答率表示欄
７７  講評表示欄
９０  検査用紙
９１  第１検査欄
９２  第２検査欄
９３  練習欄
９４〜９６  関連情報記入欄
９７  検査結果波形（前期曲線）
９８  検査結果波形（後期曲線）
Ａ３１ｄ１〜Ａ３２ｄｋ  アドレス
Ｃ１〜Ｃｋ  波形コード
Ｅ１〜Ｅｋ  難易度データ
Ｍ  プログラム記録媒体
Ｒ１〜Ｒｋ  乱数演算結果データ
Ｓ１０１〜Ｓ１４３  制御ステップ
【図１】
0003859219.tif 000003
【図２】
0003859219.tif 000004
【図３】
0003859219.tif 000005
【図４】
0003859219.tif 000006
【図５】
0003859219.tif 000007
【図６】
0003859219.tif 000008
【図７】
0003859219.tif 000009
【図８】
0003859219.tif 000010
【図９】
0003859219.tif 000011
【図１０】
0003859219.tif 000012
【図１１】
0003859219.tif 000013
【図１２】
0003859219.tif 000014
【図１３】
0003859219.tif 000015
【図１４】
0003859219.tif 000016
【図１５】
0003859219.tif 000017
【図１６】
0003859219.tif 000018
【図１７】
0003859219.tif 000019
【図１８】
0003859219.tif 000020
【図１９】
0003859219.tif 000021
【図２０】
0003859219.tif 000022
【図２１】
0003859219.tif 000023
【図２２】
0003859219.tif 000024
【図２３】
0003859219.tif 000025
【図２４】
0003859219.tif 000026